(57)【特許請求の範囲】
【請求項１】
所定の変調方式を用いて、１つの変調シンボルに重畳するデータ信号の先頭に０または１が挿入されたデータ信号を変調して変調シンボルを得る変調手段と、
前記変調シンボルのＩ成分の値およびＱ成分の値の正負符号をそれぞれ反転させた反転シンボルを生成するか、あるいは、ＩＱ平面上のＱ軸に対して前記変調シンボルがマッピングされた右側の象限または左側の象限において、前記所定の変調方式が取り得る各信号点のＩ成分を平均した値が示す点を対称の中心として前記変調シンボルを点対称移動してマッピング変更シンボルを生成する生成手段と、
前記変調シンボルと、前記反転シンボルまたは前記マッピング変更シンボルとを時分割多重または周波数多重して多重信号を得る多重手段と、
を有する無線送信装置。
【請求項２】
既知信号を生成する既知信号生成手段をさらに有し、
前記多重手段は、
前記既知信号と、前記変調シンボルと、前記反転シンボルまたは前記マッピング変更シンボルとを多重して多重信号を得る、
請求項１記載の無線送信装置。
【請求項３】
前記多重手段は、
前記既知信号と、前記変調シンボルと、前記反転シンボルまたは前記マッピング変更シンボルとを時分割多重または周波数多重して、前記既知信号、前記変調シンボル、前記反転シンボルまたは前記マッピング変更シンボルの順に配置された多重信号を生成する、
請求項２記載の無線送信装置。
【請求項４】
前記変調手段は、
２個のデータ信号をそれぞれ変調して、第１の変調シンボルおよび第２の変調シンボルを得て、
前記生成手段は、
前記第１の変調シンボルと前記第１の変調シンボルから得られる第１の反転シンボルまたは第１のマッピング変更シンボル、および、前記第２の変調シンボルと前記第２の変調シンボルから得られる第２の反転シンボルまたは第２のマッピング変更シンボルをそれぞれ生成し、
前記多重手段は、
前記第１の変調シンボルおよび前記第１の反転シンボルまたは前記第１のマッピング変更シンボル、ならびに、前記第２の変調シンボルおよび前記第２の反転シンボルまたは前記第２のマッピング変更シンボルをそれぞれ多重して、第１の多重信号および第２の多重信号を得て、
複数のアンテナと、
前記第１の多重信号を複数のサブキャリアのうちいずれかのサブキャリアに割り当てるとともに、前記第２の多重信号を前記複数のサブキャリアのうち他のサブキャリアに割り当てる割当手段と、
前記いずれかのサブキャリアに割り当てられた前記第１の多重信号および前記他のサブキャリアに割り当てられた前記第２の多重信号の双方を前記複数のアンテナのうちいずれかのアンテナから送信する送信手段と、
をさらに有する請求項１記載の無線送信装置。
【請求項５】
前記変調手段は、
２個のデータ信号をそれぞれ変調して、第１の変調シンボルおよび第２の変調シンボルを得て、
前記生成手段は、
前記第１の変調シンボルと前記第１の変調シンボルから得られる第１の反転シンボルまたは第１のマッピング変更シンボル、および、前記第２の変調シンボルと前記第２の変調シンボルから得られる第２の反転シンボルまたは第２のマッピング変更シンボルをそれぞれ生成し、
前記多重手段は、
前記第１の変調シンボルおよび前記第１の反転シンボルまたは前記第１のマッピング変更シンボル、ならびに、前記第２の変調シンボルおよび前記第２の反転シンボルまたは前記第２のマッピング変更シンボルをそれぞれ多重して、第１の多重信号および第２の多重信号を得て、
複数のアンテナと、
前記第１の多重信号および前記第２の多重信号の双方を複数のサブキャリアのうち   いずれかのサブキャリアに割り当てる割当手段と、
前記いずれかのサブキャリアに割り当てられた前記第１の多重信号を前記複数のアンテナのうちいずれかのアンテナから送信するとともに、前記いずれかのサブキャリアに割り当てられた前記第２の多重信号を前記複数のアンテナのうち他のアンテナから送信する送信手段と、
をさらに有する請求項１記載の無線送信装置。
【請求項６】
前記変調手段は、
２個のデータ信号をそれぞれ変調して、第１の変調シンボルおよび第２の変調シンボルを得て、
前記生成手段は、
前記第１の変調シンボルと前記第１の変調シンボルから得られる第１の反転シンボルまたは第１のマッピング変更シンボル、および、前記第２の変調シンボルと前記第２の変調シンボルから得られる第２の反転シンボルまたは第２のマッピング変更シンボルをそれぞれ生成し、
前記多重手段は、
前記第１の変調シンボルおよび前記第１の反転シンボルまたは前記第１のマッピング変更シンボル、ならびに、前記第２の変調シンボルおよび前記第２の反転シンボルまたは前記第２のマッピング変更シンボルをそれぞれ多重して、第１の多重信号および第２の多重信号を得て、
複数のアンテナと、
前記第１の多重信号を複数のサブキャリアのうちいずれかのサブキャリアに割り当てるとともに、前記第２の多重信号を前記複数のサブキャリアのうち他のサブキャリアに割り当てる割当手段と、
前記いずれかのサブキャリアに割り当てられた前記第１の多重信号を前記複数のアンテナのうちいずれかのアンテナから送信するとともに、前記他のサブキャリアに割り当てられた前記第２の多重信号を前記複数のアンテナのうち他のアンテナから送信する送信手段と、
をさらに有する請求項１記載の無線送信装置。
【請求項７】
前記生成手段は、前記第１の変調シンボルが１６ＱＡＭシンボルである場合、ＩＱ平面上のＱ軸を中心に右側の象限と左側の象限のそれぞれについて、前記第１変調シンボルの各信号点の２値のＩ成分を平均した値が示す点を対称の中心として各信号点を点対称移動して前記第１のマッピング変更シンボルを生成する請求項１記載の無線送信装置。
【請求項８】
前記生成手段は、前記第１の変調シンボルが６４ＱＡＭシンボルである場合、ＩＱ平面上のＱ軸を中心に右側の象限と左側の象限のそれぞれについて、前記第１変調シンボルの各信号点の４値のＩ成分を平均した値が示す点を対称の中心として各信号点を点対称移動して前記第１のマッピング変更シンボルを生成する請求項１記載の無線送信装置。
【請求項９】
前記生成手段は、前記第１の変調シンボルが８ＰＳＫシンボルである場合、ＩＱ平面上のＱ軸を中心に右側の象限と左側の象限のそれぞれについて、前記第１変調シンボルの各信号点の２値のＩ成分を平均した値が示す点を対称の中心として各信号点を点対称移動して前記第１のマッピング変更シンボルを生成する請求項１記載の無線送信装置。
【請求項１０】
前記生成手段は、前記第１の変調シンボルが１６ＰＳＫシンボルである場合、ＩＱ平面上のＱ軸を中心に右側の象限と左側の象限のそれぞれについて、前記第１変調シンボルの各信号点の４値のＩ成分を平均した値が示す点を対称の中心として各信号点を点対称移動して前記第１のマッピング変更シンボルを生成する請求項１記載の無線送信装置。
【請求項１１】
所定の変調方式を用いて、１つの変調シンボルに重畳するデータ信号の先頭に０または１が挿入されたデータ信号が変調された変調シンボルと、前記変調シンボルのＩ成分の値およびＱ成分の値の正負符号をそれぞれ反転させた反転シンボル、あるいは、ＩＱ平面上のＱ軸に対して前記変調シンボルがマッピングされた右側の象限または左側の象限において、前記所定の変調方式が取り得る各信号点のＩ成分を平均した値が示す点を対称の中心として前記変調シンボルを点対称移動したマッピング変更シンボルと、が時分割多重または周波数多重された多重信号を受信する受信手段と、
前記変調シンボルと、前記反転シンボルまたは前記マッピング変更シンボルと、を前記多重信号から抽出する抽出手段と、
前記変調シンボルと前記反転シンボルまたは前記マッピング変更シンボルとから成る合成信号を生成する生成手段と、
前記合成信号に基づいてチャネル推定を行う推定手段と、
を有する無線受信装置。
【請求項１２】
前記抽出手段は、
前記多重信号から既知信号をさらに抽出し、
前記推定手段は、
前記既知信号を用いてチャネル推定を行って第１のチャネル推定値を取得するとともに、前記合成信号および前記第１のチャネル推定値を用いてチャネル推定を行って前記第１のチャネル推定値と異なる第２のチャネル推定値を取得する、
請求項１１記載の無線受信装置。
【請求項１３】
前記推定手段は、
前記合成信号を用いてチャネル推定を行って前記第２のチャネル推定値の複数の候補を取得するとともに、前記複数の候補の中で、前記第１のチャネル推定値との二乗誤差が最も小さいものを前記第２のチャネル推定値として決定する、
請求項１２記載の無線受信装置。
【請求項１４】
所定の変調方式を用いて、１つの変調シンボルに重畳するデータ信号の先頭に０または１が挿入されたデータ信号を変調して変調シンボルを得る変調ステップと、
前記変調シンボルのＩ成分の値およびＱ成分の値の正負符号をそれぞれ反転させた反転シンボルを生成するか、あるいは、ＩＱ平面上のＱ軸に対して前記変調シンボルがマッピングされた右側の象限または左側の象限において、前記所定の変調方式が取り得る各信号点のＩ成分を平均した値が示す点を対称の中心として前記変調シンボルを点対称移動してマッピング変更シンボルを生成する生成ステップと、
前記変調シンボルと、前記反転シンボルまたは前記マッピング変更シンボルと、を時分割多重または周波数多重して多重信号を得る多重ステップと、
を有する無線送信方法。
【請求項１５】
所定の変調方式を用いて、１つの変調シンボルに重畳するデータ信号の先頭に０または１が挿入されたデータ信号が変調された変調シンボルと、前記変調シンボルのＩ成分の値およびＱ成分の値の正負符号をそれぞれ反転させた反転シンボル、あるいは、ＩＱ平面上のＱ軸に対して前記変調シンボルがマッピングされた右側の象限または左側の象限において、前記所定の変調方式が取り得る各信号点のＩ成分を平均した値が示す点を対称の中心として前記変調シンボルを点対称移動したマッピング変更シンボルと、が時分割多重または周波数多重された多重信号を受信する受信ステップと、
前記変調シンボルと、前記反転シンボルまたは前記マッピング変更シンボルと、を前記多重信号から抽出する抽出ステップと、
前記変調シンボルと前記反転シンボルまたは前記マッピング変更シンボルとから成る合成信号を生成する生成ステップと、
前記合成信号に基づいてチャネル推定を行う推定ステップと、
を有する無線受信方法。
【発明の詳細な説明】
【技術分野】
【０００１】
本発明は、ストリームの伝送に伴ってチャネル推定が行われる無線通信ネットワークシステムで用いられる無線送信装置、無線受信装置、無線送信方法および無線受信方法に関する。
【背景技術】
【０００２】
無線通信ネットワークシステムにおいて高速伝送を実現するための１つのアプローチとして、ＭＩＭＯ（Multiple-Input Multiple-Output）方式が注目されている。ＭＩＭＯ方式では、複数のデータ信号系列が、互いに同一の周波数（帯域）で、複数のアンテナを有する送信側から複数のアンテナを有する受信側に並列伝送される。
【０００３】
さらに、高速伝送実現のためのもう１つのアプローチとしては、マルチキャリア方式が挙げられる。マルチキャリア方式では、複数のサブキャリアにそれぞれ重畳された複数のデータ信号系列が並列伝送される。
【０００４】
近年、ＭＩＭＯ方式とマルチキャリア方式とを組み合わせた通信方式についての様々な検討が行われている。例えば、マルチキャリア方式の一例であるＯＦＤＭ（Orthogonal Frequency Division Multiplexing）方式とＭＩＭＯ方式とを組み合わせたＭＩＭＯ−ＯＦＤＭ方式が挙げられる（例えば、特許文献１参照）。
【０００５】
ＭＩＭＯ−ＯＦＤＭ方式を適用した従来の無線通信ネットワークシステムの一例では、データ信号とパイロット信号とが時分割多重されて伝送される。受信側では、受信したパイロット信号を用いてチャネル推定を行う。そして、複数のストリームを分離するための係数を、チャネル推定値を用いて算出し、その係数に基づいて複数のストリームを分離、復調する。なお、パイロット信号は、既知信号であり、データ信号は、既知信号ではない。つまり、送信側から送信されるパイロット信号の信号系列は、受信側に予め知られている一方、送信側から送信されるデータ信号の信号系列は、受信側には予め知られていない。
【特許文献１】特開２００２−４４０５１号公報
【発明の開示】
【発明が解決しようとする課題】
【０００６】
しかしながら、上記従来の無線通信ネットワークシステムにおいては、送信側または受信側の移動速度が速いとき、受信側でのチャネル推定の精度が低下するため、受信誤り率特性が劣化するという問題があった。
【０００７】
本発明の目的は、受信誤り率特性を向上することができる無線送信装置、無線受信装置、無線送信方法および無線受信方法を提供することである。
【課題を解決するための手段】
【０００８】
本発明の無線送信装置は、データ信号を変調して変調シンボルを得る変調手段と、前記変調シンボルに対応する対応シンボルであって、前記変調シンボルと合成した場合に特定の値を有する信号となる対応シンボルを生成する生成手段と、前記変調シンボルおよび前記対応シンボルを多重して多重信号を得る多重手段と、を有する構成を採る。
【０００９】
この構成によれば、データ信号の変調シンボルとその対応シンボルとから成る合成信号を用いたチャネル推定を受信側に行わせることができるため、チャネル推定を行う頻度を
上げることができ、送信側または受信側の移動速度が速くなったときのチャネル推定精度を向上することができ、受信誤り率特性を向上することができる。
【００１０】
本発明の無線受信装置は、データ信号の変調シンボルと、前記変調シンボルに対応する対応シンボルであって、前記変調シンボルと合成した場合に特定の値を有する信号となるように生成された対応シンボルと、を多重信号から抽出する抽出手段と、前記変調シンボルと前記対応シンボルとから成る合成信号を生成する生成手段と、前記合成信号に基づいてチャネル推定を行う推定手段と、を有する構成を採る。
【００１１】
この構成によれば、データ信号の変調シンボルとその対応シンボルとから成る合成信号を用いてチャネル推定を行うことができるため、チャネル推定を行う頻度を上げることができ、送信側または受信側の移動速度が速くなったときのチャネル推定精度を向上することができ、受信誤り率特性を向上することができる。
【００１２】
本発明の無線送信方法は、データ信号を変調して変調シンボルを得る変調ステップと、前記変調シンボルに対応する対応シンボルであって、前記変調シンボルと合成した場合に特定の値を有する信号となる対応シンボルを生成する生成ステップと、前記変調シンボルおよび前記対応シンボルを多重して多重信号を得る多重ステップと、を有するようにした。
【００１３】
この方法によれば、データ信号の変調シンボルとその対応シンボルとから成る合成信号を用いたチャネル推定を受信側に行わせることができるため、チャネル推定を行う頻度を上げることができ、送信側または受信側の移動速度が速くなったときのチャネル推定精度を向上することができ、受信誤り率特性を向上することができる。
【００１４】
本発明の無線受信方法は、データ信号の変調シンボルと、前記変調シンボルに対応する対応シンボルであって、前記変調シンボルと合成した場合に特定の値を有する信号となるように生成された対応シンボルと、を多重信号から抽出する抽出ステップと、前記変調シンボルと前記対応シンボルとから成る合成信号を生成する生成ステップと、前記合成信号に基づいてチャネル推定を行う推定ステップと、を有するようにした。
【００１５】
この方法によれば、データ信号の変調シンボルとその対応シンボルとから成る合成信号を用いてチャネル推定を行うことができるため、チャネル推定を行う頻度を上げることができ、送信側または受信側の移動速度が速くなったときのチャネル推定精度を向上することができ、受信誤り率特性を向上することができる。
【発明の効果】
【００１６】
本発明によれば、受信誤り率特性を向上することができる。
【発明を実施するための最良の形態】
【００１７】
以下、本発明の実施の形態について、図面を用いて詳細に説明する。ただし、実施の形態において、同一機能を有する構成には同一符号を付し、重複する説明は省略する。
【００１８】
（実施の形態１）
図１は、本発明の実施の形態１に係る無線通信システムの構成図である。図１の無線通信システム１においては、基地局装置（以下「基地局」と言う）１０と移動局装置（以下「移動局」と言う）２０とがＭＩＭＯチャネル３０を介して無線通信を行う。基地局１０には、本発明の実施の形態１に係る無線送信装置が適用され、移動局２０には、本発明の実施の形態１に係る無線受信装置が適用されている。
【００１９】
無線通信システム１においては、基地局１０から送信された無線信号がＭＩＭＯチャネル３０を介して移動局２０に受信される。また、本実施の形態では、データ信号の送受信にＭ個（Ｍは２以上の偶数）のサブキャリアが用いられる場合について説明する。なお、Ｍ個のサブキャリアは互いに直交関係にある。また、Ｍ個のサブキャリアには１からＭまでの識別番号がそれぞれ付与されている。
【００２０】
基地局１０および移動局２０はいずれも複数のアンテナを有する。本実施の形態では、双方がアンテナを２本ずつ有すると仮定する。よって、ＭＩＭＯチャネル３０は４つのチャネルの組み合わせによって定義される。４つのチャネル推定値ｈ（１，１）、ｈ（１，２）、ｈ（２，１）、ｈ（２，２）は、４つのチャネルの各特性Ｃ（１，１）、Ｃ（１，２）、Ｃ（２，１）、Ｃ（２，２）を推定することによって得ることができる。なお、特性Ｃ（ｐ，ｒ）は、基地局１０に設けられたｐ番目のアンテナと移動局２０に設けられたｒ番目のアンテナとの組み合わせによって規定されるチャネルの実際の特性を表し、チャネル推定値ｈ（ｐ，ｒ）は、特性Ｃ（１，２）の推定結果を表す（この場合、ｐ＝１、２およびｒ＝１、２）。
【００２１】
なお、基地局１０および移動局２０の各アンテナ数は、２本に限定されるものではなく、３本以上であっても良い。つまり、基地局１０がＰ本（Ｐは２以上の整数）のアンテナを有し、移動局２０がＲ本（Ｒは２以上の整数）のアンテナを有する場合、Ｐ×Ｒ個のチャネル推定値ｈ（ｐ，ｒ）が算出される（この場合、ｐ＝１、２、…、Ｐおよびｒ＝１、２、…、Ｒ）。
【００２２】
図２は、基地局１０の構成を示すブロック図である。基地局１０は、Ｎ個（Ｎ＝Ｍ／２）のデータシンボル生成部１０２−１、…、１０２−Ｎ、Ｎ個のデータシンボル生成部１０４−１、…、１０４−Ｎ、パイロット割当部１０６、２個のパイロット変調部１０８−１、１０８−２、２個の多重部１１０−１、１１０−２、２個のＩＦＦＴ（Inverse Fast
Fourier Transform）部１１２−１、１１２−２、２個のＧＩ（Guard Interval）付加部１１４−１、１１４−２、２個の送信無線処理部１１６−１、１１６−２および２本のアンテナ１１８−１、１１８−２を有する。
【００２３】
データシンボル生成部１０２−１〜１０２−Ｎ、パイロット変調部１０８−１、多重部１１０−１、ＩＦＦＴ部１１２−１、ＧＩ付加部１１４−１および送信無線処理部１１６−１は、アンテナ１１８−１に対応付けて設けられており、データシンボル生成部１０４−１〜１０４−Ｎ、パイロット変調部１０８−２、多重部１１０−２、ＩＦＦＴ部１１２−２、ＧＩ付加部１１４−２および送信無線処理部１１６−２は、アンテナ１１８−２に対応付けて設けられている。
【００２４】
Ｎ個のデータシンボル生成部１０２−１〜１０２−Ｎはいずれも同様の構成を有するため、以下、Ｎ個のデータシンボル生成部１０２−１〜１０２−Ｎのうち任意のものについて説明するときは、「データシンボル生成部１０２」と言う。また、Ｎ個のデータシンボル生成部１０４−１〜１０４−Ｎはいずれも同様の構成を有するため、以下、Ｎ個のデータシンボル生成部１０４−１〜１０４−Ｎのうち任意のものについて説明するときは、「データシンボル生成部１０４」と言う。
【００２５】
データシンボル生成部１０２およびデータシンボル生成部１０４はそれぞれ、Ｍ個のサブキャリアのうち隣接する２個のサブキャリアに対応付けて設けられている。例えば、データシンボル生成部１０２−１には、サブキャリアｆ１、ｆ２を用いて送信されるデータ信号が入力される。
【００２６】
より具体的には、データシンボル生成部１０２−１に入力されるデータ信号は、サブキャリアｆ１を用いてアンテナ１１８−１から送信されるデータ信号Ｄ（１，１）、および、サブキャリアｆ２を用いてアンテナ１１８−１から送信されるデータ信号Ｄ（１，２）である。また、データシンボル生成部１０４−１に入力されるデータ信号は、サブキャリアｆ１を用いてアンテナ１１８−２から送信されるデータ信号Ｄ（２，１）、および、サブキャリアｆ２を用いてアンテナ１１８−２から送信されるデータ信号Ｄ（２，２）である。
【００２７】
なお、サブキャリアｆｋ（ｋ＝１、２、…、２Ｎ−１、２Ｎ）を用いてアンテナ１１８−ｊ（ｊ＝１、２）から送信されるデータ信号は、Ｄ（ｊ，ｋ）で表される。
【００２８】
データシンボル生成部１０２は、２個のデータ変調部１２１、１２２、２個のレピティション部１２３、１２４、Ｑ反転部１２５およびＩＱ反転部１２６を有する。データ変調部１２１、レピティション部１２３およびＱ反転部１２５は、データシンボル生成部１０２に入力されるＤ（１，２ｎ−１）、Ｄ（１，２ｎ）のうち、奇数の識別番号を有するサブキャリアから送信されるＤ（１，２ｎ−１）に対応付けて設けられている。
【００２９】
一方、データ変調部１２２、レピティション部１２４およびＩＱ反転部１２６は、データシンボル生成部１０２に入力されるＤ（１，２ｎ−１）、Ｄ（１，２ｎ）のうち、偶数の識別番号を有するサブキャリアから送信されるＤ（１，２ｎ）に対応付けて設けられている。なお、ｎは１〜Ｎのうち任意の整数である。
【００３０】
データ変調部１２１は、Ｄ（１，２ｎ−１）をＱＰＳＫ（Quadrature Phase Shift Keying）変調して変調データシンボルを生成する。データ変調部１２１で生成された変調データシンボルはレピティション部１２３に出力される。データ変調部１２２は、Ｄ（１，２ｎ）をデータ変調して変調データシンボルを生成する。データ変調部１２２で生成された変調データシンボルはレピティション部１２４に出力される。
【００３１】
レピティション部１２３は、データ変調部１２１から入力された変調データシンボルの複製（レピティション）を、レピティション数に従って行う。本実施の形態では、レピティション数を「２」とする。すなわち、レピティション部１２３は、入力された変調データシンボルをそのままＱ反転部１２５に出力し、そして、変調データシンボルの出力に引き続いて、変調データシンボルと同一の値を有する複製データシンボルを生成してＱ反転部１２５に出力する。
【００３２】
レピティション部１２４は、データ変調部１２２から入力された変調データシンボルのレピティションを、レピティション数に従って行う。本実施の形態では、レピティション数を「２」とする。すなわち、レピティション部１２４は、入力された変調データシンボルをそのままＩＱ反転部１２６に出力し、そして、変調データシンボルの出力に引き続いて、変調データシンボルと同一の値を有する複製データシンボルを生成してＩＱ反転部１２６に出力する。
【００３３】
無線送信装置の生成手段としてのＱ反転部１２５は、レピティション部１２３から入力された変調データシンボルをそのまま多重部１１０−１に出力する。Ｑ反転部１２５は、レピティション部１２３から変調データシンボルの次に入力された複製データシンボルの直交（Ｑ）成分の値の正負符号を反転して、Ｑ反転データシンボルを生成する。生成されたＱ反転データシンボルは、変調データシンボルの出力に引き続いて、多重部１１０−１に出力される。このＱ反転データシンボルは、データ変調部１２１で生成された変調データシンボルに対応するシンボルであり、この変調データシンボルと合成した場合に特定の値を有する信号となる。また、このＱ反転シンボルと変調データシンボルとを合成した場合に得られる平均シンボルは、ＢＰＳＫ（Binary Phase Shift Keying）変調された信号と実質的に同じになる。
【００３４】
無線送信装置の生成手段としてのＩＱ反転部１２６は、レピティション部１２４から入力された変調データシンボルをそのまま多重部１１０−１に出力する。ＩＱ反転部１２６は、レピティション部１２４から変調データシンボルの次に入力された複製データシンボルの同相（Ｉ）成分の値の正負符号およびＱ成分の値の正負符号をいずれも反転して、Ｉ
Ｑ反転データシンボルを生成する。つまり、このＩＱ反転データシンボルは、データ変調部１２２で生成された変調データシンボルに対応するシンボルであり、この変調データシンボルと合成した場合に特定の値を有する信号となる。生成されたＩＱ変調データシンボルは、変調データシンボルの出力に引き続いて、多重部１１０−１に出力される。なお、以下の説明では、Ｑ反転シンボルおよびＩＱ反転シンボルを「反転シンボル」と総称することがある。
【００３５】
データシンボル生成部１０４は、２個のデータ変調部１３１、１３２、２個のレピティション部１３３、１３４、ＩＱ反転部１３５およびＱ反転部１３６を有する。データ変調部１３１、レピティション部１３３およびＩＱ反転部１３５は、データシンボル生成部１０４に入力されるＤ（２，２ｎ−１）、Ｄ（２，２ｎ）のうち、奇数の識別番号を有するサブキャリアから送信されるＤ（２，２ｎ−１）に対応付けて設けられている。
【００３６】
一方、データ変調部１３２、レピティション部１３４およびＱ反転部１３６は、データシンボル生成部１０４に入力されるＤ（２，２ｎ−１）、Ｄ（２，２ｎ）のうち、偶数の識別番号を有するサブキャリアから送信されるＤ（２，２ｎ）に対応付けて設けられている。
【００３７】
データ変調部１３１は、Ｄ（２，２ｎ−１）をデータ変調して変調データシンボルを生成する。データ変調部１３１で生成された変調データシンボルはレピティション部１３３に出力される。データ変調部１３２は、Ｄ（２，２ｎ）をＱＰＳＫ変調して変調データシンボルを生成する。データ変調部１３２で生成された変調データシンボルはレピティション部１３４に出力される。
【００３８】
レピティション部１３３は、データ変調部１３１から入力された変調データシンボルのレピティションを、レピティション数に従って行う。本実施の形態では、レピティション数を「２」とする。すなわち、レピティション部１３３は、入力された変調データシンボルをそのままＩＱ反転部１３５に出力し、そして、変調データシンボルの出力に引き続いて、変調データシンボルと同一の値を有する複製データシンボルを生成してＩＱ反転部１３５に出力する。
【００３９】
レピティション部１３４は、データ変調部１３２から入力された変調データシンボルのレピティションを、レピティション数に従って行う。本実施の形態では、レピティション数を「２」とする。すなわち、レピティション部１３４は、入力された変調データシンボルをそのままＱ反転部１３６に出力し、そして、変調データシンボルの出力に引き続いて、変調データシンボルと同一の値を有する複製データシンボルを生成してＱ反転部１３６に出力する。
【００４０】
無線送信装置の生成手段としてのＩＱ反転部１３５は、レピティション部１３３から入力された変調データシンボルをそのまま多重部１１０−２に出力する。ＩＱ反転部１３５は、レピティション部１３３から変調データシンボルの次に入力された複製データシンボルのＩ成分の値の正負符号およびＱ成分の値の正負符号をいずれも反転して、ＩＱ反転データシンボルを生成する。このＩＱ反転データシンボルは、データ変調部１３１で生成された変調データシンボルに対応するシンボルであり、この変調データシンボルと合成した場合に特定の値を有する信号となる。生成されたＩＱ反転データシンボルは、変調データシンボルの出力に引き続いて、多重部１１０−２に出力される。
【００４１】
無線送信装置の生成手段としてのＱ反転部１３６は、レピティション部１３４から入力された変調データシンボルをそのまま多重部１１０−２に出力する。Ｑ反転部１３６は、レピティション部１３４から変調データシンボルの次に入力された複製データシンボルの
Ｑ成分の値の正負符号を反転して、Ｑ反転データシンボルを生成する。このＱ反転データシンボルは、データ変調部１３２で生成された変調データシンボルに対応するシンボルであり、この変調データシンボルと合成した場合に特定の値を有する信号となる。生成されたＱ変調データシンボルは、変調データシンボルの出力に引き続いて、多重部１１０−２に出力される。
【００４２】
パイロット割当部１０６は、パイロット信号を奇数サブキャリアおよび偶数サブキャリアにそれぞれ割り当てる。奇数サブキャリアに割り当てられたパイロット信号はパイロット変調部１０８−１に出力され、偶数サブキャリアに割り当てられたパイロット信号はパイロット変調部１０８−２に出力される。また、パイロット割当部１０６は、ゼロ値を有するゼロ信号を生成する。生成されたゼロ信号は多重部１１０−１、１１０−２に出力される。なお、パイロット信号およびゼロ信号はそれぞれ既知信号である。
【００４３】
パイロット変調部１０８−１は、パイロット割当部１０６から入力されたパイロット信号を変調し、パイロットシンボルを生成する。生成されたパイロットシンボルは、多重部１１０−１に出力される。本実施の形態では、パイロット信号の変調にＢＰＳＫが用いられる。
【００４４】
パイロット変調部１０８−２は、パイロット割当部１０６から入力されたパイロット信号を変調し、パイロットシンボルを生成する。本実施の形態では、この変調にはＢＰＳＫが用いられる。生成されたパイロットシンボルは、多重部１１０−２に出力される。
【００４５】
すなわち、パイロット割当部１０６およびパイロット変調部１０８−１、１０８−２の組み合わせは、既知信号を生成する既知信号生成部を構成する。
【００４６】
多重部１１０−１は、Ｑ反転部１２５から入力された変調データシンボルおよびＱ反転データシンボル、ＩＱ反転部１２６から入力された変調データシンボルおよびＩＱ反転データシンボル、パイロット変調部１０８−１から入力されたパイロットシンボル、ならびに、パイロット割当部１０６から入力されたゼロ信号を多重して、アンテナ１１８−１から送信される多重信号を生成する。多重部１１０−１で生成される多重信号のフォーマットについては後で具体的に説明する。
【００４７】
多重部１１０−２は、ＩＱ反転部１３５から入力された変調データシンボルおよびＩＱ反転データシンボル、Ｑ反転部１３６から入力された変調データシンボルおよびＱ反転データシンボル、パイロット変調部１０８−２から入力されたパイロットシンボル、ならびに、パイロット割当部１０６から入力されたゼロ信号を多重して、アンテナ１１８−２から送信される多重信号を生成する。多重部１１０−２で生成される多重信号のフォーマットについては後で具体的に説明する。
【００４８】
割当手段としてのＩＦＦＴ部１１２−１は、多重部１１０−１で生成された多重信号に対してＩＦＦＴ処理を施すことによって多重信号をサブキャリアに割り当てる。割当手段としてのＩＦＦＴ部１１２−２は、多重部１１０−２で生成された多重信号に対してＩＦＦＴ処理を施すことによって多重信号をサブキャリアに割り当てる。
【００４９】
ＧＩ付加部１１４−１は、ＩＦＦＴ部１１２−１でＩＦＦＴ処理を施された多重信号の所定位置にＧＩを付加する。ＧＩ付加部１１４−２は、ＩＦＦＴ部１１２−２でＩＦＦＴ処理を施された多重信号の所定位置にＧＩを付加する。
【００５０】
送信無線処理部１１６−１は、ＧＩ付加部１１４−１でＧＩを付加された多重信号に対して所定の送信無線処理（Ｄ／Ａ変換、アップコンバートなど）を施すことによって無線
信号を生成し、生成された無線信号をアンテナ１１８−１から送信する。送信無線処理部１１６−２は、ＧＩ付加部１１４−２でＧＩを付加された多重信号に対して所定の送信無線処理を施すことによって無線信号を生成し、生成された無線信号をアンテナ１１８−２から送信する。
【００５１】
次いで、上記構成を有する基地局１０において生成される多重信号のフォーマットについて説明する。ここでは、時刻ｔ１から時刻ｔ５までの期間においてサブキャリアｆ１、ｆ２で送信される多重信号について説明する。
【００５２】
まず、図３を参照しながら、アンテナ１１８−１から送信される多重信号のフォーマットの例について説明する。サブキャリアｆ１、時刻ｔ１の位置には、「１」という値を有するＢＰＳＫ変調信号つまりパイロット変調部１０８−１で生成されたパイロットシンボルが配置されている。サブキャリアｆ１、時刻ｔ２の位置には、データ変調部１２１で生成された変調データシンボル（ＱＰＳＫシンボル）が配置されている。サブキャリアｆ１、時刻ｔ３の位置には、Ｑ反転部１２５で生成されたＱ反転データシンボルつまりサブキャリアｆ１、時刻ｔ２の位置に配置されたＱＰＳＫシンボルに対応するＱ反転シンボルが配置されている。サブキャリアｆ１、時刻ｔ４の位置には、データ変調部１２１で生成されたＱＰＳＫシンボル（つまり、サブキャリアｆ１、時刻ｔ２の位置に配置されたＱＰＳＫシンボルの次に生成された変調データシンボル）が配置されている。サブキャリアｆ１、時刻ｔ５の位置には、Ｑ反転部１２５で生成されたＱ反転データシンボルつまりサブキャリアｆ１、時刻ｔ４の位置に配置されたＱＰＳＫシンボルに対応するＱ反転シンボルが配置されている。
【００５３】
すなわち、アンテナ１１８−１から送信される多重信号において、サブキャリアｆ１に対応するサブキャリア信号は、既知の値を有する信号（つまりパイロット変調部１０８−１で生成されたパイロットシンボル）、データ変調部１２１で生成されたＱＰＳＫシンボルおよびＱ反転部１２５で生成されたＱ反転シンボルを時分割多重した信号である。
【００５４】
また、サブキャリアｆ２、時刻ｔ１の位置には、ゼロ信号が配置されている（つまり、この位置にはパイロットシンボルは配置されない）。サブキャリアｆ２、時刻ｔ２の位置には、データ変調部１２２で生成されたＱＰＳＫシンボルが配置されている。サブキャリアｆ２、時刻ｔ３の位置には、ＩＱ反転部１２６で生成されたＩＱ反転データシンボルつまりサブキャリアｆ２、時刻ｔ２の位置に配置されたＱＰＳＫシンボルに対応するＩＱ反転シンボルが配置されている。サブキャリアｆ２、時刻ｔ４の位置には、データ変調部１２２で生成されたＱＰＳＫシンボル（つまり、サブキャリアｆ２、時刻ｔ２の位置に配置されたＱＰＳＫシンボルの次に生成された変調データシンボル）が配置されている。サブキャリアｆ２、時刻ｔ５の位置には、ＩＱ反転部１２６で生成されたＩＱ反転データシンボルつまりサブキャリアｆ２、時刻ｔ４の位置に配置されたＱＰＳＫシンボルに対応するＩＱ反転シンボルが配置されている。
【００５５】
すなわち、アンテナ１１８−１から送信される多重信号において、サブキャリアｆ２に対応するサブキャリア信号は、既知の値を有する信号（つまりゼロ信号）、データ変調部１２２で生成されたＱＰＳＫシンボルおよびＩＱ反転部１２６で生成されたＩＱ反転シンボルを時分割多重した信号である。
【００５６】
続いて、図４を参照しながら、アンテナ１１８−２から送信される多重信号のフォーマットの例について説明する。サブキャリアｆ１、時刻ｔ１の位置には、ゼロ信号が配置されている（つまり、この位置にはパイロットシンボルは配置されない）。サブキャリアｆ１、時刻ｔ２の位置には、データ変調部１３１で生成されたＱＰＳＫシンボルが配置されている。サブキャリアｆ１、時刻ｔ３の位置には、ＩＱ反転部１３５で生成されたＩＱ反
転データシンボルつまりサブキャリアｆ１、時刻ｔ２の位置に配置されたＱＰＳＫシンボルに対応するＩＱ反転シンボルが配置されている。サブキャリアｆ１、時刻ｔ４の位置には、データ変調部１３１で生成されたＱＰＳＫシンボル（つまり、サブキャリアｆ１、時刻ｔ２の位置に配置されたＱＰＳＫシンボルの次に生成された変調データシンボル）が配置されている。サブキャリアｆ１、時刻ｔ５の位置には、ＩＱ反転部１３５で生成されたＩＱ反転データシンボルつまりサブキャリアｆ１、時刻ｔ４の位置に配置されたＱＰＳＫシンボルに対応するＩＱ反転シンボルが配置されている。
【００５７】
すなわち、アンテナ１１８−２から送信される多重信号において、サブキャリアｆ１に対応するサブキャリア信号は、既知の値を有する信号（つまりゼロ信号）、データ変調部１３１で生成されたＱＰＳＫシンボルおよびＩＱ反転部１３５で生成されたＩＱ反転シンボルを時分割多重した信号である。
【００５８】
また、サブキャリアｆ２、時刻ｔ１の位置には、「１」という値を有するＢＰＳＫ変調信号つまりパイロット変調部１０８−２で生成されたパイロットシンボルが配置されている。サブキャリアｆ２、時刻ｔ２の位置には、データ変調部１３２で生成されたＱＰＳＫシンボルが配置されている。サブキャリアｆ２、時刻ｔ３の位置には、Ｑ反転部１３６で生成されたＱ反転データシンボルつまりサブキャリアｆ２、時刻ｔ２の位置に配置されたＱＰＳＫシンボルに対応するＱ反転シンボルが配置されている。サブキャリアｆ２、時刻ｔ４の位置には、データ変調部１３２で生成されたＱＰＳＫシンボル（つまり、サブキャリアｆ２、時刻ｔ２の位置に配置されたＱＰＳＫシンボルの次に生成された変調データシンボル）が配置されている。サブキャリアｆ２、時刻ｔ５の位置には、Ｑ反転部１３６で生成されたＱ反転データシンボルつまりサブキャリアｆ２、時刻ｔ４の位置に配置されたＱＰＳＫシンボルに対応するＱ反転シンボルが配置されている。
【００５９】
すなわち、アンテナ１１８−２から送信される多重信号において、サブキャリアｆ２に対応するサブキャリア信号は、既知の値を有する信号（つまりパイロット変調部１０８−２で生成されたパイロットシンボル）、データ変調部１３２で生成されたＱＰＳＫシンボルおよびＱ反転部１３６で生成されたＱ反転シンボルを時分割多重した信号である。
【００６０】
ここで、ＱＰＳＫシンボルとＱ反転シンボルとの対応関係について図５を用いて説明する。図５ＡにはＱＰＳＫシンボルの一例が示されている。このＱＰＳＫシンボルのＱ成分の正負符号を反転して得られるＱ反転シンボルは、図５Ｂに示されている。図５ＡのＱＰＳＫシンボルと図５ＢのＱ反転シンボルとを平均化処理によって合成した場合、図５Ｃに示すような平均シンボルが得られる。この平均シンボルは実質的には、ＢＰＳＫ変調された信号と同じである。つまり、Ｑ反転部１２５、１３６によって生成されるＱ反転シンボルは、対応するＱＰＳＫシンボルと平均化処理によって合成した場合、「−１」もしくは「１」のどちらかの情報の信号となる。
【００６１】
また、ＱＰＳＫシンボルとＩＱ反転シンボルとの対応関係について図６を用いて説明する。図６ＡにはＱＰＳＫシンボルの一例が示されている。このＱＰＳＫシンボルのＩ成分の正負符号およびＱ成分の正負符号を反転して得られるＩＱ反転シンボルは、図６Ｂに示されている。図６ＡのＱＰＳＫシンボルと図６ＢのＩＱ反転シンボルとを平均化処理によって合成した場合、図６Ｃに示すような平均シンボルが得られる。この平均シンボルは実質的には、ゼロ信号と同じである。つまり、ＩＱ反転部１２６、１３５によって生成されるＩＱ反転シンボルは、対応するＱＰＳＫシンボルと平均化処理によって合成した場合、特定値として「０」を有する信号となる。
【００６２】
以下、移動局２０の構成について説明する。移動局２０は、図７に示すように、２本のアンテナ２０２−１、２０２−２、２個の受信無線処理部２０４−１、２０４−２、２個
のＧＩ除去部２０６−１、２０６−２、２個のＦＦＴ（Fast Fourier Transform）部２０８−１、２０８−２、２個のサブキャリア分離部２１０−１、２１０−２、Ｎ個のＭＩＭＯ受信部２１２−１、…、２１２−Ｎを有する。なお、Ｎ個のＭＩＭＯ受信部２１２−１〜２１２−Ｎは、いずれも同様の構成を有するため、以下、Ｎ個のＭＩＭＯ受信部２１２−１〜２１２−Ｎのうち任意のものについて説明するときは、「ＭＩＭＯ受信部２１２」と言う。
【００６３】
受信無線処理部２０４−１、ＧＩ除去部２０６−１、ＦＦＴ部２０８−１およびサブキャリア分離部２１０−１は、アンテナ２０２−１に対応付けて設けられており、受信無線処理部２０４−２、ＧＩ除去部２０６−２、ＦＦＴ部２０８−２およびサブキャリア分離部２１０−２は、アンテナ２０２−２に対応付けて設けられている。
【００６４】
受信無線処理部２０４−１は、基地局１０から送信された無線信号を、アンテナ２０２−１を介して受信し、この無線信号に対して所定の受信無線処理（ダウンコンバート、Ａ／Ｄ変換など）を行うことによって、受信信号を得る。受信無線処理部２０４−２は、基地局１０から送信された無線信号を、アンテナ２０２−２を介して受信し、この無線信号に対して所定の受信無線処理（ダウンコンバート、Ａ／Ｄ変換など）を行うことによって、受信信号を得る。
【００６５】
ＧＩ除去部２０６−１は、受信無線処理部２０４−１で得られた受信信号の所定位置に付加されていたＧＩを除去する。ＧＩ除去部２０６−２は、受信無線処理部２０４−２で得られた受信信号の所定位置に付加されていたＧＩを除去する。
【００６６】
ＦＦＴ部２０８−１は、ＧＩ除去部２０６−１でＧＩを除去された受信信号に対してＦＦＴ処理を施す。ＦＦＴ部２０８−２は、ＧＩ除去部２０６−２でＧＩを除去された受信信号に対してＦＦＴ処理を施す。
【００６７】
サブキャリア分離部２１０−１は、ＦＦＴ部２０８−１でＦＦＴ処理を施された受信信号をチャネル推定単位毎に分離する。本実施の形態では、一例として、２個のサブキャリアｆ２ｎ−１、ｆ２ｎの組み合わせをチャネル推定単位とする。したがって、サブキャリア分離部２１０−１は、サブキャリアｆ２ｎ−１の受信信号ＲＳ（１，２ｎ−１）およびサブキャリアｆ２ｎの受信信号ＲＳ（１，２ｎ）をＭＩＭＯ受信部２１２に出力する。より具体的には、ＲＳ（１，１）およびＲＳ（１，２）はＭＩＭＯ受信部２１２−１に出力され、ＲＳ（１，２Ｎ−１）およびＲＳ（１，２Ｎ）はＭＩＭＯ受信部２１２−Ｎに出力される。
【００６８】
なお、アンテナ２０２−ｉ（ｉ＝１、２）で受信されたサブキャリアｆｋの受信信号は、ＲＳ（ｉ，ｋ）で表される。
【００６９】
サブキャリア分離部２１０−２は、ＦＦＴ部２０８−２でＦＦＴ処理を施された受信信号をチャネル推定単位毎に分離する。本実施の形態では、一例として、２個のサブキャリアｆ２ｎ−１、ｆ２ｎの組み合わせをチャネル推定単位とする。したがって、サブキャリア分離部２１０−２は、サブキャリアｆ２ｎ−１の受信信号ＲＳ（２，２ｎ−１）およびサブキャリアｆ２ｎの受信信号ＲＳ（２，２ｎ）をＭＩＭＯ受信部２１２に出力する。より具体的には、ＲＳ（２，１）およびＲＳ（２，２）はＭＩＭＯ受信部２１２−１に出力され、ＲＳ（２，２Ｎ−１）およびＲＳ（２，２Ｎ）はＭＩＭＯ受信部２１２−Ｎに出力される。
【００７０】
ＭＩＭＯ受信部２１２は、サブキャリア分離部２１０−１から入力されたＲＳ（１，２ｎ−１）およびＲＳ（１，２ｎ）、ならびに、サブキャリア分離部２１０−２から入力さ
れたＲＳ（２，２ｎ−１）およびＲＳ（２，２ｎ）に対してＭＩＭＯ受信処理を施し、基地局１０から送信されたＤ（ｊ，２ｎ−１）およびＤ（ｊ，２ｎ）を出力する。
【００７１】
ここで、ＭＩＭＯ受信部２１２の内部構成について、図８に示されたＭＩＭＯ受信部２１２−１のブロック図を参照しながら説明する。
【００７２】
ＭＩＭＯ受信部２１２は、２個のデータ／パイロット分離部２２１、２２２、２個のチャネル推定部２２３、２２４、２個のチャネル推定値補正部２２５、２２６、２個の平均シンボル生成部２２７、２２８、分離係数算出部２２９、２個のストリーム分離部２３０、２３１、２個のＱ反転部２３２、２３３、２個のＩＱ反転部２３４、２３５、４個のシンボル合成部２３６、２３７、２３８、２３９および４個のデータ復調部２４０、２４１、２４２、２４３を有する。
【００７３】
抽出手段としてのデータ／パイロット分離部２２１は、サブキャリア分離部２１０−１から入力されたＲＳ（１，２ｎ−１）およびＲＳ（１，２ｎ）のそれぞれについて、データシンボルとパイロットシンボルとの分離を行う。
【００７４】
具体的には、データ／パイロット分離部２２１は、ＲＳ（１，２ｎ−１）から、パイロットシンボルに相当する部分の信号およびデータシンボルに相当する部分の信号ＲＤ（１，２ｎ−１）をそれぞれ抽出し、パイロットシンボルに相当する部分の信号をチャネル推定部２２３に出力し、ＲＤ（１，２ｎ−１）をストリーム分離部２３０および平均シンボル生成部２２７に出力する。
【００７５】
また、データ／パイロット分離部２２１は、ＲＳ（１，２ｎ）から、パイロットシンボルに相当する部分の信号およびデータシンボルに相当する部分の信号ＲＤ（１，２ｎ）をそれぞれ抽出し、パイロットシンボルに相当する部分の信号をチャネル推定部２２３に出力し、ＲＤ（１，２ｎ）をストリーム分離部２３１および平均シンボル生成部２２７に出力する。
【００７６】
ＲＤ（１，２ｎ−１）およびＲＤ（１，２ｎ）は、変調データシンボルに相当する部分と、その変調シンボルと平均化処理によって合成された場合に特定の値を有する信号となるように生成された反転シンボルに相当する部分と、から成る。
【００７７】
チャネル推定部２２３は、データ／パイロット分離部２２１からの入力信号を用いてチャネル推定を行い、チャネル推定値ｈ（１，１）、ｈ（２，１）を得る。得られたチャネル推定値ｈ（１，１）、ｈ（２，１）は、チャネル推定値補正部２２５に出力される。
【００７８】
無線受信装置の生成手段としての平均シンボル生成部２２７には、データ／パイロット分離部２２１からＲＤ（１，２ｎ−１）およびＲＤ（１，２ｎ）が入力される。平均シンボル生成部２２７は、ＲＤ（１，２ｎ−１）の中の変調データシンボルに相当する部分と、その直後の位置に配置された部分すなわち反転シンボルに相当する部分と、を平均化処理によって合成する。これによって、平均シンボルが生成される。
【００７９】
また、平均シンボル生成部２２７は、ＲＤ（１，２ｎ）の中の変調データシンボルに相当する部分と、その直後の位置に配置された部分すなわち反転シンボルに相当する部分と、を平均化処理によって合成する。これによって、平均シンボルが生成される。生成された各平均シンボルはチャネル推定値補正部２２５に出力される。
【００８０】
チャネル推定値補正部２２５は、チャネル推定部２２３から入力されたチャネル推定値ｈ（１，１）、ｈ（２，１）を、平均シンボル生成部２２７から入力された各平均シンボ
ルを用いて補正する。補正後のチャネル推定値ｈ（１，１）、ｈ（２，１）は、分離係数算出部２２９に出力される。すなわち、チャネル推定部２２３およびチャネル推定値補正部２２５の組み合わせは、無線受信装置の推定手段としての推定部を構成する。なお、推定部における動作の具体例については後で説明する。
【００８１】
抽出手段としてのデータ／パイロット分離部２２２は、サブキャリア分離部２１０−２から入力されたＲＳ（２，２ｎ−１）およびＲＳ（２，２ｎ）のそれぞれについて、データシンボルとパイロットシンボルとの分離を行う。
【００８２】
具体的には、データ／パイロット分離部２２２は、ＲＳ（２，２ｎ−１）から、パイロットシンボルに相当する部分の信号およびデータシンボルに相当する部分の信号ＲＤ（２，２ｎ−１）をそれぞれ抽出し、パイロットシンボルに相当する部分の信号をチャネル推定部２２４に出力し、ＲＤ（２，２ｎ−１）をストリーム分離部２３０および平均シンボル生成部２２８に出力する。
【００８３】
また、データ／パイロット分離部２２２は、ＲＳ（２，２ｎ）から、パイロットシンボルに相当する部分の信号およびデータシンボルに相当する部分の信号ＲＤ（２，２ｎ）をそれぞれ抽出し、パイロットシンボルに相当する部分の信号をチャネル推定部２２４に出力し、ＲＤ（２，２ｎ）をストリーム分離部２３１および平均シンボル生成部２２８に出力する。ＲＤ（２，２ｎ−１）およびＲＤ（２，２ｎ）は、変調データシンボルに相当する部分と、その変調シンボルと平均化処理によって合成された場合に特定の値を有する信号となるように生成された反転シンボルに相当する部分と、から成る。
【００８４】
チャネル推定部２２４は、データ／パイロット分離部２２２からの入力信号を用いてチャネル推定を行い、チャネル推定値ｈ（１，２）、ｈ（２，２）を得る。得られたチャネル推定値ｈ（１，２）、ｈ（２，２）は、チャネル推定値補正部２２６に出力される。
【００８５】
無線受信装置の生成手段としての平均シンボル生成部２２８には、データ／パイロット分離部２２２からＲＤ（２，２ｎ−１）およびＲＤ（２，２ｎ）が入力される。平均シンボル生成部２２８は、ＲＤ（２，２ｎ−１）の中の変調データシンボルに相当する部分と、その直後の位置に配置された部分すなわち反転シンボルに相当する部分と、を平均化処理によって合成する。これによって、平均シンボルが生成される。
【００８６】
また、平均シンボル生成部２２８は、ＲＤ（２，２ｎ）の中の変調データシンボルに相当する部分と、その直後の位置に配置された部分すなわち反転シンボルに相当する部分と、を平均化処理によって合成する。これによって、平均シンボルが生成される。生成された各平均シンボルはチャネル推定値補正部２２６に出力される。
【００８７】
チャネル推定値補正部２２６は、チャネル推定部２２４から入力されたチャネル推定値ｈ（１，２）、ｈ（２，２）を、平均シンボル生成部２２８から入力された各平均シンボルを用いて補正する。補正後のチャネル推定値ｈ（１，２）、ｈ（２，２）は、分離係数算出部２２９に出力される。すなわち、チャネル推定部２２４およびチャネル推定値補正部２２６の組み合わせは、チャネル推定部２２３およびチャネル推定値補正部２２５の組み合わせと同様に、無線受信装置の推定手段としての推定部を構成する。なお、推定部における動作の具体例については後で説明する。
【００８８】
分離係数算出部２２９は、チャネル推定値補正部２２５、２２６から入力されたチャネル推定値ｈ（１，１）、ｈ（１，２）、ｈ（２，１）、ｈ（２，２）を用いて、ＭＩＭＯチャネル３０を介して送信された複数のストリームを分離するための分離係数を算出する。この分離係数は、例えば、チャネル推定値ｈ（１，１）、ｈ（１，２）、ｈ（２，１）
、ｈ（２，２）から得られるチャネル行列Ｈの逆行列を求めることによって、算出される。算出された分離係数は、ストリーム分離部２３０、２３１に出力される。
【００８９】
ストリーム分離部２３０は、データ／パイロット分離部２２１から入力されたＲＤ（１，２ｎ−１）およびデータ／パイロット分離部２２２から入力されたＲＤ（２，２ｎ−１）に対してストリーム分離を行う。このストリーム分離処理には、分離係数算出部２２９から入力された分離係数が用いられる。また、ストリーム分離部２３０のストリーム分離処理によって、Ｄ（１，２ｎ−１）およびＤ（２，２ｎ−１）が得られる。Ｄ（１，２ｎ−１）はＱ反転部２３２に、Ｄ（２，２ｎ−１）はＩＱ反転部２３４に、それぞれ出力される。
【００９０】
Ｑ反転部２３２は、ストリーム分離部２３０から入力されたＤ（１，２ｎ−１）の中の変調データシンボルをそのままシンボル合成部２３６に出力する。また、Ｑ反転部２３２は、ストリーム分離部２３０から入力されたＤ（１，２ｎ−１）の中のＱ反転シンボルのＱ成分の値の正負符号を反転して、複製シンボルを復元する。そして、Ｑ反転部２３２は、復元された複製シンボルを、変調データシンボルの出力に引き続いてシンボル合成部２３６に出力する。
【００９１】
シンボル合成部２３６は、Ｑ反転部２３２から入力された変調データシンボルと、その変調データシンボルの次にＱ反転部２３２から入力された複製シンボルと、を合成して合成データシンボルを得る。得られた合成シンボルはデータ復調部２４０に入力される。
【００９２】
データ復調部２４０は、シンボル合成部２３６から入力された合成データシンボルを復調してＤ（１，２ｎ−１）を出力する。本実施の形態では、Ｄ（１，２ｎ−１）の変調にＱＰＳＫが用いられているので、データ復調部２４０は、復調処理にＱＰＳＫを用いる。
【００９３】
ＩＱ反転部２３４は、ストリーム分離部２３０から入力されたＤ（２，２ｎ−１）の中の変調データシンボルをそのままシンボル合成部２３７に出力する。また、ＩＱ反転部２３４は、ストリーム分離部２３０から入力されたＤ（２，２ｎ−１）の中のＩＱ反転シンボルのＩ成分の正負符号およびＱ成分の正負符号を反転して、複製シンボルを復元する。そして、ＩＱ反転部２３４は、復元された複製シンボルを、変調データシンボルの出力に引き続いてシンボル合成部２３７に出力する。
【００９４】
シンボル合成部２３７は、ＩＱ反転部２３４から入力された変調データシンボルと、その変調データシンボルの次にＩＱ反転部２３４から入力された複製シンボルと、を合成して合成データシンボルを得る。得られた合成シンボルはデータ復調部２４１に入力される。
【００９５】
データ復調部２４１は、シンボル合成部２３７から入力された合成データシンボルを復調してＤ（２，２ｎ−１）を出力する。
【００９６】
ストリーム分離部２３１は、データ／パイロット分離部２２１から入力されたＲＤ（１，２ｎ）およびデータ／パイロット分離部２２２から入力されたＲＤ（２，２ｎ）に対してストリーム分離を行う。このストリーム分離処理には、分離係数算出部２２９から入力された分離係数が用いられる。また、ストリーム分離部２３１のストリーム分離処理によって、Ｄ（１，２ｎ）およびＤ（２，２ｎ）が得られる。Ｄ（１，２ｎ）はＩＱ反転部２３５に、Ｄ（２，２ｎ）はＱ反転部２３３に、それぞれ出力される。
【００９７】
ＩＱ反転部２３５は、ストリーム分離部２３１から入力されたＤ（１，２ｎ）の中の変調データシンボルをそのままシンボル合成部２３８に出力する。また、ＩＱ反転部２３５
は、ストリーム分離部２３１から入力されたＤ（１，２ｎ）の中のＩＱ反転シンボルのＩ成分の値の正負符号およびＱ成分の値の正負符号をいずれも反転して、複製シンボルを復元する。そして、ＩＱ反転部２３５は、復元された複製シンボルを、変調データシンボルの出力に引き続いてシンボル合成部２３８に出力する。
【００９８】
シンボル合成部２３８は、ＩＱ反転部２３５から入力された変調データシンボルと、その変調データシンボルの次にＩＱ反転部２３５から入力された複製シンボルと、を合成して合成データシンボルを得る。得られた合成シンボルはデータ復調部２４２に入力される。
【００９９】
データ復調部２４２は、シンボル合成部２３８から入力された合成データシンボルを復調してＤ（１，２ｎ）を出力する。
【０１００】
Ｑ反転部２３３は、ストリーム分離部２３１から入力されたＤ（２，２ｎ）の中の変調データシンボルをそのままシンボル合成部２３９に出力する。また、Ｑ反転部２３３は、ストリーム分離部２３１から入力されたＤ（２，２ｎ）の中のＱ反転シンボルのＱ成分の正負符号を反転して、複製シンボルを復元する。そして、Ｑ反転部２３３は、復元された複製シンボルを、変調データシンボルの出力に引き続いてシンボル合成部２３９に出力する。
【０１０１】
シンボル合成部２３９は、Ｑ反転部２３３から入力された変調データシンボルと、その変調データシンボルの次にＱ反転部２３３から入力された複製シンボルと、を合成して合成データシンボルを得る。得られた合成シンボルはデータ復調部２４３に入力される。
【０１０２】
データ復調部２４３は、シンボル合成部２３９から入力された合成データシンボルを復調してＤ（２，２ｎ）を出力する。本実施の形態では、Ｄ（２，２ｎ）の変調にＱＰＳＫが用いられているので、データ復調部２４３は、復調処理にＱＰＳＫを用いる。
【０１０３】
次いで、移動局２０の推定部の動作例について、図９を用いて説明する。ここでは、サブキャリアｆ１、ｆ２を用いて時刻ｔ１から時刻ｔ５までの期間において伝送された多重信号について説明する。
【０１０４】
基地局１０のアンテナ１１８−１からは、図９Ａに示された多重信号が送信される。図９Ａの多重信号のフォーマットは、図３に示されたものと同一である。なお、ＱＰＳＫシンボルおよびＱ反転シンボルの各配置位置に示された括弧内の数値は、各シンボルのＩ成分の値およびＱ成分の値である。
【０１０５】
また、基地局１０のアンテナ１１８−２からは、図９Ｂに示された多重信号が送信される。図９Ｂの多重信号のフォーマットは、図４に示されたものと同一である。なお、ＱＰＳＫシンボルおよびＩＱ反転シンボルの各配置位置に示された括弧内の数値は、各シンボルのＩ成分の値およびＱ成分の値である。
【０１０６】
図９Ａの多重信号および図９Ｂの多重信号は、ＭＩＭＯチャネル３０の特性Ｃ（１，１）、Ｃ（２，１）、Ｃ（１，２）、Ｃ（２，２）の影響を受けて移動局２０に到達する。ＭＩＭＯチャネル３０のタイミング毎の特性Ｃ（１，１）、Ｃ（２，１）、Ｃ（１，２）、Ｃ（２，２）は、図９Ｃに示されている。
【０１０７】
移動局２０のアンテナ２０２−１には、ＭＩＭＯチャネル３０の特性Ｃ（１，１）、Ｃ（２，１）の影響を受けた図９Ａの多重信号および図９Ｂの多重信号が混在する無線信号が到達する。アンテナ２０２−１の受信信号は図９Ｄに示されている。図９Ｄの受信信号
の各シンボルの配置位置に示された括弧内の数値は、各シンボルのＩ成分の値およびＱ成分の値である。
【０１０８】
また、移動局２０のアンテナ２０２−２には、ＭＩＭＯチャネル３０の特性Ｃ（１，２）、Ｃ（２，２）の影響を受けた図９Ａの多重信号および図９Ｂの多重信号が混在する無線信号が到達する。アンテナ２０２−２の受信信号は図９Ｅに示されている。図９Ｅの受信信号の各シンボルの配置位置に示された括弧内の数値は、各シンボルのＩ成分の値およびＱ成分の値である。
【０１０９】
そして、移動局２０において、チャネル推定部２２３は、図９Ｄの受信信号の時刻ｔ１の部分に配置されているパイロットシンボルを用いてチャネル推定を行い、チャネル推定値ｈ（１，１）、ｈ（２，１）を得る。
【０１１０】
また、平均シンボル生成部２２７は、図９Ｄの受信信号の中のサブキャリアｆ１に対応するサブキャリア信号について、時刻ｔ２の変調データシンボルと時刻ｔ３のＱ反転シンボルとを合成して平均シンボルを生成する。さらに、図９Ｄの受信信号の中のサブキャリアｆ１に対応するサブキャリア信号について、時刻ｔ４の変調データシンボルと時刻ｔ５のＱ反転シンボルとを合成して平均シンボルを生成する。さらに、図９Ｄの受信信号の中のサブキャリアｆ２に対応するサブキャリア信号について、時刻ｔ２の変調データシンボルと時刻ｔ３のＩＱ反転シンボルとを合成して平均シンボルを生成する。さらに、図９Ｄの受信信号の中のサブキャリアｆ２に対応するサブキャリア信号について、時刻ｔ４の変調データシンボルと時刻ｔ５のＩＱ反転シンボルとを合成して平均シンボルを生成する。
【０１１１】
チャネル推定値補正部２２５には、図９Ｆに示すように、チャネル推定部２２３で得られたチャネル推定値ｈ（１，１）、ｈ（２，１）と、平均シンボル生成部２２７で生成された各平均シンボルが入力される。
【０１１２】
チャネル推定値補正部２２５は、平均シンボル生成部２２７から入力された各平均シンボルをＢＰＳＫ変調されたパイロットシンボルとみなし、各平均シンボルを用いたチャネル推定を行う。平均シンボルはＢＰＳＫ変調されたパイロットシンボルとみなされるため、ＢＰＳＫシンボルが（−１，０）か（１，０）かによって、チャネル推定結果には２つの可能性がある。チャネル推定値補正部２２５は、その可能性に基づいて、チャネル推定値の候補を挙げる。例えば、サブキャリアｆ１、時刻ｔ２〜ｔ３の平均シンボルに関して言えば、チャネル推定値の候補として、（１，０.３）および（−１，−０.３）が挙げられる。各平均シンボルについて挙げられたチャネル推定値候補は図９Ｈに示されている。
【０１１３】
そして、チャネル推定値補正部２２５は、各候補を、パイロットシンボルから得られたチャネル推定値（この例示では、時刻ｔ１のチャネル推定値）と比較して、パイロットシンボルから得られたチャネル推定値により近い値（換言すれば、パイロットシンボルから得られたチャネル推定値との二乗誤差がより小さい値）を有する候補を選択する。
【０１１４】
例えば、前述の候補（１，０.３）、（−１，−０.３）はサブキャリアｆ１に対応するので、それぞれを、サブキャリアｆ１に対応するチャネル推定値（１，０.３）と比較する。この比較の結果、候補（１，０.３）は（−１，−０.３）に比べてチャネル推定値（１，０.３）との二乗誤差が小さい値を有するので、候補（１，０.３）が選択される。選択された候補（１，０.３）は、時刻ｔ２〜ｔ３に対応するチャネル推定値ｈ（１，１）として決定される。なお、図９Ｈにおいて円で囲まれた候補は、比較の結果として選択された候補である。決定されたチャネル推定値は、分離係数算出部２２９での分離係数算出に用いられることとなる。
【０１１５】
また、チャネル推定部２２４、平均シンボル生成部２２８およびチャネル推定値補正部２２６においても、前述と同様の動作が実行される。
【０１１６】
すなわち、チャネル推定部２２４は、図９Ｅの受信信号の時刻ｔ１の部分に配置されているパイロットシンボルを用いてチャネル推定を行い、チャネル推定値ｈ（１，２）、ｈ（２，２）を得る。
【０１１７】
また、平均シンボル生成部２２８は、図９Ｅの受信信号の中のサブキャリアｆ１に対応するサブキャリア信号について、時刻ｔ２の変調データシンボルと時刻ｔ３のＩＱ反転シンボルとを合成して平均シンボルを生成する。さらに、図９Ｅの受信信号の中のサブキャリアｆ１に対応するサブキャリア信号について、時刻ｔ４の変調データシンボルと時刻ｔ５のＩＱ反転シンボルとを合成して平均シンボルを生成する。さらに、図９Ｅの受信信号の中のサブキャリアｆ２に対応するサブキャリア信号について、時刻ｔ２の変調データシンボルと時刻ｔ３のＱ反転シンボルとを合成して平均シンボルを生成する。さらに、図９Ｅの受信信号の中のサブキャリアｆ２に対応するサブキャリア信号について、時刻ｔ４の変調データシンボルと時刻ｔ５のＱ反転シンボルとを合成して平均シンボルを生成する。
【０１１８】
チャネル推定値補正部２２６には、図９Ｇに示すように、チャネル推定部２２４で得られたチャネル推定値ｈ（１，２）、ｈ（２，２）と、平均シンボル生成部２２８で生成された各平均シンボルが入力される。
【０１１９】
チャネル推定値補正部２２６は、平均シンボル生成部２２８から入力された各平均シンボルをＢＰＳＫ変調されたパイロットシンボルとみなし、各平均シンボルを用いたチャネル推定を行う。平均シンボルはＢＰＳＫ変調されたパイロットシンボルとみなされるため、ＢＰＳＫシンボルが（−１，０）か（１，０）かによって、チャネル推定結果には２つの可能性がある。チャネル推定値補正部２２６は、その可能性に基づいて、チャネル推定値の候補を挙げる。例えば、サブキャリアｆ１、時刻ｔ２〜ｔ３の平均シンボルに関して言えば、チャネル推定値の候補として、（０.５，１）および（−０.５，−１）が挙げられる。各平均シンボルについて挙げられたチャネル推定値候補は図９Ｉに示されている。
【０１２０】
そして、チャネル推定値補正部２２６は、各候補を、パイロットシンボルから得られたチャネル推定値（この例示では、時刻ｔ１のチャネル推定値）と比較して、パイロットシンボルから得られたチャネル推定値により近い値を有する候補を選択する。
【０１２１】
例えば、サブキャリアｆ１、時刻ｔ２〜ｔ３に対応する候補（０.５，１）、（−０.５，−１）をそれぞれ、サブキャリアｆ１に対応するチャネル推定値（０.５，１）と比較する。この比較の結果、候補（０.５，１）は（−０.５，−１）に比べてチャネル推定値（０.５，１）に近い値を有するので、候補（０.５，１）が選択される。選択された候補（０.５，１）は、時刻ｔ２〜ｔ３に対応するチャネル推定値ｈ（１，２）として決定される。なお、図９Ｉにおいて円で囲まれた候補は、比較の結果として選択された候補である。決定されたチャネル推定値は、分離係数算出部２２９での分離係数算出に用いられることとなる。
【０１２２】
このように実施の形態１によれば、変調データシンボルとその対応シンボルである反転シンボルとから得られる平均シンボルを用いたチャネル推定を移動局２０に行わせることができる、すなわち、チャネル推定に、パイロットシンボルだけでなくデータシンボルをも用いることができる。よって、チャネル推定を行う頻度を上げることができ、移動局２０の移動速度が速くなったときのチャネル推定精度を向上することができ、受信誤り率特性を向上することができる。
【０１２３】
なお、本実施の形態では、無線送信装置を基地局１０に適用し無線受信装置を移動局２０に適用した場合について説明したが、移動局２０に無線送信装置を適用し基地局１０に無線受信装置を適用しても良い。
【０１２４】
また、本実施の形態では、レピティションされたシンボルを時分割で配置したが、コヒーレント帯域内であれば周波数方向に配置してもよい。
【０１２５】
また、本実施の形態では、チャネル推定値補正に利用するＱ反転シンボルをマッピングするサブキャリアとチャネル推定値補正に利用しないＩＱ反転シンボルをマッピングするサブキャリアを隣接させているが、コヒーレント帯域内であれば離れたサブキャリアを利用しても良い。
【０１２６】
（実施の形態２）
実施の形態１では、変調方式にＱＰＳＫを適用した場合を例に説明したが、１６ＱＡＭを適用した場合、変調データシンボルとＱ反転データシンボルとの平均シンボルは、図１０に示すように、Ｉ軸上に４値となり、この４値の信号点のうち絶対値の小さい２値の信号点はＳＮＲが低いため、チャネル推定精度が劣化してしまう。そこで、本発明の実施の形態２では、変調方式に１６ＱＡＭを適用した場合について説明する。
【０１２７】
図１１は、本発明の実施の形態２に係る基地局４０の構成を示すブロック図である。図１１が図２と異なる点は、データ変調部１２１をデータ変調部３２１に、データ変調部１２２をデータ変調部３２２に、データ変調部１３１をデータ変調部３３１に、データ変調部１３２をデータ変調部３３２に、Ｑ反転部１２５をマッピング変更部３２５に、Ｑ反転部１３６をマッピング変更部３３６にそれぞれ変更した点である。
【０１２８】
データ変調部３２１は、Ｄ（１，２ｎ−１）を１６ＱＡＭ変調して変調データシンボルを生成する。データ変調部３２１で生成された変調データシンボルはレピティション部１２３に出力される。データ変調部３２２は、Ｄ（１，２ｎ）をデータ変調して変調データシンボルを生成する。データ変調部３２２で生成された変調データシンボルはレピティション部１２４に出力される。
【０１２９】
無線送信装置の生成手段としてのマッピング変更部３２５は、レピティション部１２３から入力された変調データシンボルをそのまま多重部１１０−１に出力する。マッピング変更部３２５は、レピティション部１２３から変調データシンボルの次に入力された複製データシンボルのマッピングを変更して、マッピング変更シンボルを生成する。生成されたマッピング変更シンボルは、変調データシンボルの出力に引き続いて、多重部１１０−１に出力される。このマッピング変更シンボルは、データ変調部３２１で生成された変調データシンボルに対応するシンボルであり、この変調データシンボルと合成した場合に得られる平均シンボルは、ＢＰＳＫ変調された信号と実質的に同じになる。
【０１３０】
データ変調部３３１は、Ｄ（２，２ｎ−１）をデータ変調して変調データシンボルを生成する。データ変調部３３１で生成された変調データシンボルはレピティション部１３３に出力される。データ変調部３３２は、Ｄ（２，２ｎ）を１６ＱＡＭ変調して変調データシンボルを生成する。データ変調部３３２で生成された変調データシンボルはレピティション部１３４に出力される。
【０１３１】
無線送信装置の生成手段としてのマッピング変更部３３６は、レピティション部１３４から入力された変調データシンボルをそのまま多重部１１０−２に出力する。マッピング変更部３３６は、レピティション部１３４から変調データシンボルの次に入力された複製データシンボルのマッピングを変更して、マッピング変更シンボルを生成する。生成され
たマッピング変更シンボルは、変調データシンボルの出力に引き続いて、多重部１１０−２に出力される。このマッピング変更シンボルは、データ変調部３３２で生成された変調データシンボルに対応するシンボルであり、この変調データシンボルと合成した場合に得られる平均シンボルは、ＢＰＳＫ変調された信号と実質的に同じになる。
【０１３２】
ここで、１６ＱＡＭシンボルとマッピング変更シンボルとの対応関係について図１２を用いて説明する。図１２Ａには、データ変調部３２１，３３２によって生成される変調データシンボルの配置パターンを示す。この１６ＱＡＭシンボルの配置パターンにおいて、Ｑ軸より右側の象限（第１、第４象限）に着目すると、各信号点のＩ成分は２つの値をとり、マッピング変更部３２５，３３６は、この２つの値の平均値が示すＩ軸上の点を対称の中心として各信号点を点対称移動してマッピングを変更する。
【０１３３】
同様に、Ｑ軸より左側の象限（第２、第３象限）についても、マッピング変更部３２５，３３６は、各信号点のＩ成分は２つの値から求まる平均値が示す点を対称の中心として各信号点を点対称移動してマッピングを変更する。これにより、マッピング変更シンボルの配置パターンは図１２Ｂに示すようになる。
【０１３４】
図１２Ａの１６ＱＡＭシンボルと図１２Ｂのマッピング変更シンボルとを平均化処理によって合成した場合、図１２Ｃに示すように、Ｉ軸上に２値の平均シンボルが得られる。この平均シンボルは実質的には、ＢＰＳＫ変調された信号と同じである。つまり、マッピング変更部３２５、３３６によって生成されるマッピング変更シンボルと、対応する１６ＱＡＭシンボルとの平均化処理によって合成した平均シンボルは、「−１」もしくは「１」のどちらかの情報の信号となる。
【０１３５】
図１３に変調データシンボル、マッピング変更シンボルおよびこれらの平均シンボルのそれぞれのＩ成分、Ｑ成分についてまとめた。なお、図中のＲは０．３１６２を示すものとする。この図において、平均シンボルに着目すると、Ｑ成分は全て０となり、Ｉ成分は４Ｒ、−４Ｒの２値となることが分かる。
【０１３６】
本発明の実施の形態２に係る移動局の構成は、実施の形態１の図７に示した構成と同様であるため、図７を援用し、重複する説明は省略する。図１４は、本発明の実施の形態２に係るＭＩＭＯ受信部２１２の内部構成を示すブロック図である。なお、図１４が図８と異なる点は、平均シンボル生成部２２７を平均シンボル生成部４２７に変更し、平均シンボル生成部２２８を平均シンボル生成部４２８に変更し、Ｑ反転部２３２をマッピング変更部４３２に変更し、また、Ｑ反転部２３３をマッピング変更部４３３に変更した点が異なる。
【０１３７】
平均シンボル生成部４２７は、ＲＤ（１，２ｎ−１）の中の変調データシンボルに相当する部分と、その直後の位置に配置された部分すなわちマッピング変更シンボルに相当する部分と、を平均化処理によって合成する。これによって、平均シンボルが生成される。
【０１３８】
また、平均シンボル生成部４２７は、ＲＤ（１，２ｎ）の中の変調データシンボルに相当する部分と、その直後の位置に配置された部分すなわちマッピング変更シンボルに相当する部分と、を平均化処理によって合成する。これによって、平均シンボルが生成される。生成された各平均シンボルはチャネル推定値補正部２２５に出力される。
【０１３９】
平均シンボル生成部４２８は、ＲＤ（２，２ｎ−１）の中の変調データシンボルに相当する部分と、その直後の位置に配置された部分すなわちマッピング変更シンボルに相当する部分と、を平均化処理によって合成する。これによって、平均シンボルが生成される。
【０１４０】
また、平均シンボル生成部４２８は、ＲＤ（２，２ｎ）の中の変調データシンボルに相当する部分と、その直後の位置に配置された部分すなわちマッピング変更シンボルに相当する部分と、を平均化処理によって合成する。これによって、平均シンボルが生成される。生成された各平均シンボルはチャネル推定値補正部２２６に出力される。
【０１４１】
マッピング変更部４３２は、ストリーム分離部２３０から入力されたＤ（１，２ｎ−１）の中の変調データシンボルをそのままシンボル合成部２３６に出力する。また、マッピング変更部４３２は、ストリーム分離部２３０から入力されたＤ（１，２ｎ−１）の中のマッピング変更シンボルを図１１のマッピング変更部３２５と同様にマッピングを変更して、複製シンボルを復元する。そして、マッピング変更部４３２は、復元された複製シンボルを、変調データシンボルの出力に引き続いてシンボル合成部２３６に出力する。
【０１４２】
マッピング変更部４３３は、ストリーム分離部２３１から入力されたＤ（２，２ｎ）の中の変調データシンボルをそのままシンボル合成部２３９に出力する。また、マッピング変更部４３３は、ストリーム分離部２３１から入力されたＤ（２，２ｎ）の中のマッピング変更シンボルを図１１のマッピング変更部３３６と同様にマッピングを変更して、複製シンボルを復元する。そして、マッピング変更部４３３は、復元された複製シンボルを、変調データシンボルの出力に引き続いてシンボル合成部２３９に出力する。
【０１４３】
このように実施の形態２によれば、１６ＱＡＭシンボルの配置パターンにおいて、ＩＱ平面上のＱ軸を中心に右側の象限と左側の象限のそれぞれについて、各信号点の２値のＩ成分を平均した値が示す点を対称の中心として各信号点を点対称移動してマッピングを変更することにより、変調方式を１６ＱＡＭとした場合においても、変調データシンボルとその対応シンボルであるマッピング変更シンボルとから得られる平均シンボルを２値とすることができ、この平均シンボルを用いたチャネル推定を移動局に行わせることにより、チャネル推定精度を向上することができ、受信誤り率特性を向上することができる。
【０１４４】
（実施の形態３）
実施の形態２では、変調方式に１６ＱＡＭを適用した場合について説明したが、本発明の実施の形態３では、変調方式に６４ＱＡＭを適用した場合について説明する。なお、本発明の実施の形態３に係る基地局の構成は実施の形態２の図１１に示した構成と同様であるため、図１１を援用し、また、本発明の実施の形態３に係る移動局の構成は、実施の形態１の図７に示した構成と同様であるため、図７を援用し、重複する説明は省略する。
【０１４５】
図１１を参照するに、データ変調部３２１は、Ｄ（１，２ｎ−１）を６４ＱＡＭ変調して変調データシンボルを生成する。データ変調部３２１で生成された変調データシンボルはレピティション部１２３に出力される。データ変調部３２２は、Ｄ（１，２ｎ）をデータ変調して変調データシンボルを生成する。データ変調部３２２で生成された変調データシンボルはレピティション部１２４に出力される。
【０１４６】
無線送信装置の生成手段としてのマッピング変更部３２５は、レピティション部１２３から入力された変調データシンボルをそのまま多重部１１０−１に出力する。マッピング変更部３２５は、レピティション部１２３から変調データシンボルの次に入力された複製データシンボルのマッピングを変更して、マッピング変更シンボルを生成する。生成されたマッピング変更シンボルは、変調データシンボルの出力に引き続いて、多重部１１０−１に出力される。このマッピング変更シンボルは、データ変調部３２１で生成された変調データシンボルに対応するシンボルであり、この変調データシンボルと合成した場合に得られる平均シンボルは、ＢＰＳＫ変調された信号と実質的に同じになる。
【０１４７】
データ変調部３３１は、Ｄ（２，２ｎ−１）をデータ変調して変調データシンボルを生
成する。データ変調部３３１で生成された変調データシンボルはレピティション部１３３に出力される。データ変調部３３２は、Ｄ（２，２ｎ）を６４ＱＡＭ変調して変調データシンボルを生成する。データ変調部３３２で生成された変調データシンボルはレピティション部１３４に出力される。
【０１４８】
無線送信装置の生成手段としてのマッピング変更部３３６は、レピティション部１３４から入力された変調データシンボルをそのまま多重部１１０−２に出力する。マッピング変更部３３６は、レピティション部１３４から変調データシンボルの次に入力された複製データシンボルのマッピングを変更して、マッピング変更シンボルを生成する。生成されたマッピング変更シンボルは、変調データシンボルの出力に引き続いて、多重部１１０−２に出力される。このマッピング変更シンボルは、データ変調部３３２で生成された変調データシンボルに対応するシンボルであり、この変調データシンボルと合成した場合に得られる平均シンボルは、ＢＰＳＫ変調された信号と実質的に同じになる。
【０１４９】
ここで、６４ＱＡＭシンボルとマッピング変更シンボルとの対応関係について図１５を用いて説明する。図１５Ａには、データ変調部３２１，３３２によって生成される変調データシンボルの配置パターンを示す。この６４ＱＡＭシンボルの配置パターンにおいて、Ｑ軸より右側の象限（第１、第４象限）に着目すると、各信号点のＩ成分は４つの値をとり、マッピング変更部３２５，３３６は、この４つの値の平均値が示すＩ軸上の点を対称の中心として各信号点を点対称移動してマッピングを変更する。
【０１５０】
同様に、Ｑ軸より左側の象限（第２、第３象限）についても、マッピング変更部３２５，３３６は、各信号点のＩ成分は４つの値から求まる平均値が示す点を対称の中心として各信号点を点対称移動してマッピングを変更する。これにより、マッピング変更シンボルの配置パターンは図１５Ｂに示すようになる。
【０１５１】
図１５Ａの６４ＱＡＭシンボルと図１５Ｂのマッピング変更シンボルとを平均化処理によって合成した場合、Ｉ軸上に２値の平均シンボルが得られる。この平均シンボルは実質的には、ＢＰＳＫ変調された信号と同じである。つまり、マッピング変更部３２５、３３６によって生成されるマッピング変更シンボルと、対応する６４ＱＡＭシンボルとの平均化処理によって合成した平均シンボルは、「−１」もしくは「１」のどちらかの情報の信号となる。
【０１５２】
図１６に変調データシンボル、マッピング変更シンボルおよびこれらの平均シンボルのそれぞれのＩ成分、Ｑ成分についてまとめた。なお、図中のＲは０．１５４を示すものとする。この図において、平均シンボルに着目すると、Ｑ成分は全て０となり、Ｉ成分は８Ｒ、−８Ｒの２値となることが分かる。
【０１５３】
このように実施の形態３によれば、６４ＱＡＭシンボルの配置パターンにおいて、ＩＱ平面上のＱ軸を中心に右側の象限と左側の象限のそれぞれについて、各信号点の４値のＩ成分を平均した値が示す点を対称の中心として各信号点を点対称移動してマッピングを変更することにより、変調方式を６４ＱＡＭとした場合においても、変調データシンボルとその対応シンボルであるマッピング変更シンボルとから得られる平均シンボルを２値とすることができ、この平均シンボルを用いたチャネル推定を移動局に行わせることにより、チャネル推定精度を向上することができ、受信誤り率特性を向上することができる。
【０１５４】
（実施の形態４）
実施の形態１から３では、変調方式にＱＰＳＫ、１６ＱＡＭ、６４ＱＡＭを適用した場合についてそれぞれ説明したが、本発明の実施の形態では、変調方式に８ＰＳＫを適用した場合について説明する。なお、本発明の実施の形態４に係る基地局の構成は実施の形態
２の図１１に示した構成と同様であるため、図１１を援用し、また、本発明の実施の形態４に係る移動局の構成は、実施の形態１の図７に示した構成と同様であるため、図７を援用し、重複する説明は省略する。
【０１５５】
図１１を参照するに、データ変調部３２１は、Ｄ（１，２ｎ−１）を８ＰＳＫ変調して変調データシンボルを生成する。データ変調部３２１で生成された変調データシンボルはレピティション部１２３に出力される。データ変調部３２２は、Ｄ（１，２ｎ）をデータ変調して変調データシンボルを生成する。データ変調部３２２で生成された変調データシンボルはレピティション部１２４に出力される。
【０１５６】
無線送信装置の生成手段としてのマッピング変更部３２５は、レピティション部１２３から入力された変調データシンボルをそのまま多重部１１０−１に出力する。マッピング変更部３２５は、レピティション部１２３から変調データシンボルの次に入力された複製データシンボルのマッピングを変更して、マッピング変更シンボルを生成する。生成されたマッピング変更シンボルは、変調データシンボルの出力に引き続いて、多重部１１０−１に出力される。このマッピング変更シンボルは、データ変調部３２１で生成された変調データシンボルに対応するシンボルであり、この変調データシンボルと合成した場合に得られる平均シンボルは、ＢＰＳＫ変調された信号と実質的に同じになる。
【０１５７】
データ変調部３３１は、Ｄ（２，２ｎ−１）をデータ変調して変調データシンボルを生成する。データ変調部３３１で生成された変調データシンボルはレピティション部１３３に出力される。データ変調部３３２は、Ｄ（２，２ｎ）を８ＰＳＫ変調して変調データシンボルを生成する。データ変調部３３２で生成された変調データシンボルはレピティション部１３４に出力される。
【０１５８】
無線送信装置の生成手段としてのマッピング変更部３３６は、レピティション部１３４から入力された変調データシンボルをそのまま多重部１１０−２に出力する。マッピング変更部３３６は、レピティション部１３４から変調データシンボルの次に入力された複製データシンボルのマッピングを変更して、マッピング変更シンボルを生成する。生成されたマッピング変更シンボルは、変調データシンボルの出力に引き続いて、多重部１１０−２に出力される。このマッピング変更シンボルは、データ変調部３３２で生成された変調データシンボルに対応するシンボルであり、この変調データシンボルと合成した場合に得られる平均シンボルは、ＢＰＳＫ変調された信号と実質的に同じになる。
【０１５９】
ここで、８ＰＳＫシンボルとマッピング変更シンボルとの対応関係について図１７を用いて説明する。図１７Ａには、データ変調部３２１，３３２によって生成される変調データシンボルの配置パターンを示す。この８ＰＳＫシンボルの配置パターンにおいて、Ｑ軸より右側の象限（第１、第４象限）に着目すると、各信号点のＩ成分は２つの値をとり、マッピング変更部３２５，３３６は、この２つの値の平均値が示すＩ軸上の点を対称の中心として各信号点を点対称移動してマッピングを変更する。
【０１６０】
同様に、Ｑ軸より左側の象限（第２、第３象限）についても、マッピング変更部３２５，３３６は、各信号点のＩ成分は２つの値から求まる平均値が示す点を対称の中心として各信号点を点対称移動してマッピングを変更する。これにより、マッピング変更シンボルの配置パターンは図１７Ｂに示すようになる。
【０１６１】
図１７Ａの８ＰＳＫシンボルと図１７Ｂのマッピング変更シンボルとを平均化処理によって合成した場合、Ｉ軸上に２値の平均シンボルが得られる。この平均シンボルは実質的には、ＢＰＳＫ変調された信号と同じである。つまり、マッピング変更部３２５、３３６によって生成されるマッピング変更シンボルと、対応する８ＰＳＫシンボルとの平均化処
理によって合成した平均シンボルは、「−１」もしくは「１」のどちらかの情報の信号となる。
【０１６２】
図１８に変調データシンボル、マッピング変更シンボルおよびこれらの平均シンボルのそれぞれのＩ成分、Ｑ成分についてまとめた。この図において、平均シンボルに着目すると、Ｑ成分は全て０となり、Ｉ成分は１．３０７、−１．３０７の２値となることが分かる。
【０１６３】
このように実施の形態４によれば、８ＰＳＫシンボルの配置パターンにおいて、ＩＱ平面上のＱ軸を中心に右側の象限と左側の象限のそれぞれについて、各信号点の２値のＩ成分を平均した値が示す点を対称の中心として各信号点を点対称移動してマッピングを変更することにより、変調方式を８ＰＳＫとした場合においても、変調データシンボルとその対応シンボルであるマッピング変更シンボルとから得られる平均シンボルを２値とすることができ、この平均シンボルを用いたチャネル推定を移動局に行わせることにより、チャネル推定精度を向上することができ、受信誤り率特性を向上することができる。
【０１６４】
（実施の形態５）
実施の形態４では、変調方式に８ＰＳＫを適用した場合について説明したが、本発明の実施の形態５では、変調方式に１６ＰＳＫを適用した場合について説明する。なお、本発明の実施の形態５に係る基地局の構成は実施の形態２の図１１に示した構成と同様であるため、図１１を援用し、また、本発明の実施の形態５に係る移動局の構成は、実施の形態１の図７に示した構成と同様であるため、図７を援用し、重複する説明は省略する。
【０１６５】
図１１を参照するに、データ変調部３２１は、Ｄ（１，２ｎ−１）を１６ＰＳＫ変調して変調データシンボルを生成する。データ変調部３２１で生成された変調データシンボルはレピティション部１２３に出力される。データ変調部３２２は、Ｄ（１，２ｎ）をデータ変調して変調データシンボルを生成する。データ変調部３２２で生成された変調データシンボルはレピティション部１２４に出力される。
【０１６６】
無線送信装置の生成手段としてのマッピング変更部３２５は、レピティション部１２３から入力された変調データシンボルをそのまま多重部１１０−１に出力する。マッピング変更部３２５は、レピティション部１２３から変調データシンボルの次に入力された複製データシンボルのマッピングを変更して、マッピング変更シンボルを生成する。生成されたマッピング変更シンボルは、変調データシンボルの出力に引き続いて、多重部１１０−１に出力される。このマッピング変更シンボルは、データ変調部３２１で生成された変調データシンボルに対応するシンボルであり、この変調データシンボルと合成した場合に得られる平均シンボルは、４値のＡＭ変調された信号と実質的に同じになる。
【０１６７】
データ変調部３３１は、Ｄ（２，２ｎ−１）をデータ変調して変調データシンボルを生成する。データ変調部３３１で生成された変調データシンボルはレピティション部１３３に出力される。データ変調部３３２は、Ｄ（２，２ｎ）を１６ＰＳＫ変調して変調データシンボルを生成する。データ変調部３３２で生成された変調データシンボルはレピティション部１３４に出力される。
【０１６８】
無線送信装置の生成手段としてのマッピング変更部３３６は、レピティション部１３４から入力された変調データシンボルをそのまま多重部１１０−２に出力する。マッピング変更部３３６は、レピティション部１３４から変調データシンボルの次に入力された複製データシンボルのマッピングを変更して、マッピング変更シンボルを生成する。生成されたマッピング変更シンボルは、変調データシンボルの出力に引き続いて、多重部１１０−２に出力される。このマッピング変更シンボルは、データ変調部３３２で生成された変調
データシンボルに対応するシンボルであり、この変調データシンボルと合成した場合に得られる平均シンボルは、４値のＡＭ変調された信号と実質的に同じになる。
【０１６９】
ここで、１６ＰＳＫシンボルとマッピング変更シンボルとの対応関係について図１９を用いて説明する。図１９Ａには、データ変調部３２１，３３２によって生成される変調データシンボルの配置パターンを示す。この１６ＰＳＫシンボルの配置パターンにおいて、Ｑ軸より右側の象限（第１、第４象限）に着目すると、各信号点のＩ成分は４つの値をとり、マッピング変更部３２５，３３６は、この４つの値の平均値が示すＩ軸上の点を対称の中心として各信号点を点対称移動してマッピングを変更する。
【０１７０】
同様に、Ｑ軸より左側の象限（第２、第３象限）についても、マッピング変更部３２５，３３６は、各信号点のＩ成分は２つの値から求まる平均値が示す点を対称の中心として各信号点を点対称移動してマッピングを変更する。これにより、マッピング変更シンボルの配置パターンは図１９Ｂに示すようになる。
【０１７１】
図１９Ａの１６ＰＳＫシンボルと図１９Ｂのマッピング変更シンボルとを平均化処理によって合成した場合、Ｉ軸上に４値の平均シンボルが得られる。
【０１７２】
図２０に変調データシンボル、マッピング変更シンボルおよびこれらの平均シンボルのそれぞれのＩ成分、Ｑ成分についてまとめた。この図において、平均シンボルに着目すると、Ｑ成分は全て０となり、Ｉ成分は１．１７６、１．３８７、−１．１７６、−１．３８７の４値となることが分かる。
【０１７３】
このように実施の形態５によれば、１６ＰＳＫシンボルの配置パターンにおいて、ＩＱ平面上のＱ軸を中心に右側の象限と左側の象限のそれぞれについて、各信号点の４値のＩ成分を平均した値が示す点を対称の中心として各信号点を点対称移動してマッピングを変更することにより、変調方式を１６ＰＳＫとした場合においても、変調データシンボルとその対応シンボルであるマッピング変更シンボルとから得られる平均シンボルを４値とすることができ、この平均シンボルを用いたチャネル推定を移動局に行わせることにより、チャネル推定精度を向上することができ、受信誤り率特性を向上することができる。
【０１７４】
（実施の形態６）
実施の形態２では、変調方式に１６ＱＡＭを適用し、変調データシンボルとマッピング変更シンボルとを合成することにより得られる２値の平均シンボルを用いてチャネル推定を行う場合について説明したが、本発明の実施の形態６では、１値の平均シンボルを用いてチャネル推定を行う場合について説明する。
【０１７５】
図２１は、本発明の実施の形態６に係る基地局の構成を示すブロック図である。図２１が図１１と異なる点は、データ変調部３２１にビット分割部５３１、ビット挿入部５３２、１６ＱＡＭ変調部５３３を追加し、データ変調部５２１に変更した点と、データ変調部３２２にビット分割部５４１、ビット挿入部５４２、１６ＱＡＭ変調部５４３を追加し、データ変調部５２２に変更した点である。
【０１７６】
図２１において、ビット分割部５３１は、入力されたＤ（１，２ｎ−１）を３ビット毎に分割し、３ビットに分割した信号列をビット挿入部５３２に出力する。
【０１７７】
ビット挿入部５３２は、ビット分割部５３１から出力された３ビット毎に分割された信号列の先頭にそれぞれ０を挿入し、先頭が０の４ビット毎の信号列を１６ＱＡＭ変調部５３３に出力する。
【０１７８】
１６ＱＡＭ変調部５３３は、ビット挿入部５３２から出力された４ビット毎の信号列をそれぞれ１６ＱＡＭ変調して変調データシンボルを生成する。１６ＱＡＭ変調部５３３で生成された変調データシンボルはレピティション部１２３に出力される。
【０１７９】
無線送信装置の生成手段としてのマッピング変更部３２５は、レピティション部１２３から入力された変調データシンボルをそのまま多重部１１０−１に出力する。マッピング変更部３２５は、レピティション部１２３から変調データシンボルの次に入力された複製データシンボルのマッピングを変更して、マッピング変更シンボルを生成する。生成されたマッピング変更シンボルは、変調データシンボルの出力に引き続いて、多重部１１０−１に出力される。このマッピング変更シンボルは、データ変調部３２１で生成された変調データシンボルに対応するシンボルである。
【０１８０】
ビット分割部５４１は、入力されたＤ（２，２ｎ）を３ビット毎に分割し、３ビットに分割した信号列をビット挿入部５４２に出力する。
【０１８１】
ビット挿入部５４２は、ビット分割部５４１から出力された３ビット毎に分割された信号列の先頭にそれぞれ０を挿入し、先頭が０の４ビット毎の信号列を１６ＱＡＭ変調部５４３に出力する。
【０１８２】
１６ＱＡＭ変調部５４３は、ビット挿入部５４２から出力された４ビット毎の信号列をそれぞれ１６ＱＡＭ変調して変調データシンボルを生成する。１６ＱＡＭ変調部５４３で生成された変調データシンボルはレピティション部１３４に出力される。
【０１８３】
無線送信装置の生成手段としてのマッピング変更部３３６は、レピティション部１３４から入力された変調データシンボルをそのまま多重部１１０−２に出力する。マッピング変更部３３６は、レピティション部１３４から変調データシンボルの次に入力された複製データシンボルのマッピングを変更して、マッピング変更シンボルを生成する。生成されたマッピング変更シンボルは、変調データシンボルの出力に引き続いて、多重部１１０−２に出力される。このマッピング変更シンボルは、データ変調部３３２で生成された変調データシンボルに対応するシンボルである。
【０１８４】
ここで、４ビットの信号列の先頭が常に０である１６ＱＡＭシンボルとマッピング変更シンボルとの対応関係について図２２を用いて説明する。図２２Ａには、データ変調部３２１，３３２によって生成される変調データシンボルの配置パターンを示す。この１６ＱＡＭシンボルの配置パターンにおいて、各信号点のＩ成分は２つの値をとり、マッピング変更部３２５，３３６は、この２つの値の平均値が示すＩ軸上の点を対称の中心として各信号点を点対称移動してマッピングを変更する。これにより、マッピング変更シンボルの配置パターンは図２２Ｂに示すようになる。
【０１８５】
図２２Ａの１６ＱＡＭシンボルと図２２Ｂのマッピング変更シンボルとを平均化処理によって合成した場合、図２２Ｃに示すようにＩ軸上に１値の平均シンボルが得られる。
【０１８６】
図２３に変調データシンボル、マッピング変更シンボルおよびこれらの平均シンボルのそれぞれのＩ成分、Ｑ成分についてまとめた。なお、図中のＲは０．３１６２を示すものとする。この図において、平均シンボルに着目すると、Ｑ成分は全て０となり、Ｉ成分は４Ｒの１値となることが分かる。
【０１８７】
図２４は、本発明の実施の形態６に係るＭＩＭＯ受信部２１２−１の構成を示すブロック図である。図２４が図１４と異なる点は、先頭ビット除去部６０２，６０４を追加した点である。
【０１８８】
先頭ビット除去部６０２は、データ復調部２４０から出力された信号列のうち、各シンボルに重畳された４ビットの信号列の先頭ビット０をそれぞれ除去し、先頭ビット０を除去した３ビットの信号列を出力する。
【０１８９】
同様に、先頭ビット除去部６０４は、データ復調部２４３から出力された信号列について、先頭ビットを除去した信号列を出力する。
【０１９０】
このように実施の形態６によれば、先頭が０の信号列を有する１６ＱＡＭシンボルの配置パターンにおいて、各信号点の２値のＩ成分を平均した値が示す点を対称の中心として各信号点を点対称移動してマッピングを変更することにより、変調データシンボルとその対応シンボルであるマッピング変更シンボルとから得られる平均シンボルを１値とすることができ、この平均シンボルを用いたチャネル推定を移動局に行わせることにより、チャネル推定精度を向上することができ、受信誤り率特性を向上することができる。
【０１９１】
なお、本実施の形態では、先頭に０を挿入して変調する場合について説明したが、本発明はこれに限らず、先頭に１を挿入して変調する場合も同様に適用することができ、このときの１６ＱＡＭシンボルとマッピング変更シンボルとの対応関係について図２５に示し、変調データシンボル、マッピング変更シンボルおよびこれらの平均シンボルのそれぞれのＩ成分、Ｑ成分について図２６に示す。
【０１９２】
また、上記各実施の形態の説明に用いた各機能ブロックは、典型的には集積回路であるＬＳＩとして実現される。これらは個別に１チップ化されても良いし、一部又は全てを含むように１チップ化されても良い。
【０１９３】
ここでは、ＬＳＩとしたが、集積度の違いにより、ＩＣ、システムＬＳＩ、スーパーＬＳＩ、ウルトラＬＳＩと呼称されることもある。
【０１９４】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【０１９５】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【０１９６】
本明細書は、２００４年１２月２７日出願の特願２００４−３７６１６２及び２００５年９月９日出願の特願２００５−２６３０１４に基づくものである。この内容は全てここに含めておく。
【産業上の利用可能性】
【０１９７】
本発明の無線送信装置、無線受信装置、無線送信方法および無線受信方法は、複数のストリームが並列伝送される無線通信ネットワークシステムにおける基地局装置および移動局装置などに適用することができる。
【図面の簡単な説明】
【０１９８】
【図１】本発明の実施の形態１に係る無線通信システムの構成図
【図２】本発明の実施の形態１に係る基地局装置の構成を示すブロック図
【図３】本発明の実施の形態１に係る基地局装置の複数のアンテナのいずれかから送信される多重信号のフォーマットの例を示す図
【図４】本発明の実施の形態１に係る基地局装置の複数のアンテナのいずれかから送信される多重信号のフォーマットの他の例を示す図
【図５】本発明の実施の形態１に係るＱＰＳＫシンボルとＱ反転シンボルとの対応関係を示す図
【図６】本発明の実施の形態１に係るＱＰＳＫシンボルとＩＱ反転シンボルとの対応関係を示す図
【図７】本発明の実施の形態１に係る移動局装置の構成を示すブロック図
【図８】本発明の実施の形態１に係るＭＩＭＯ受信部の構成を示すブロック図
【図９】本発明の実施の形態１に係る推定部の動作例を説明するための図
【図１０】１６ＱＡＭシンボルとＱ反転データシンボルとの対応関係を示す図
【図１１】本発明の実施の形態２に係る基地局の構成を示すブロック図
【図１２】本発明の実施の形態２に係る１６ＱＡＭシンボルとマッピング変更シンボルとの対応関係を示す図
【図１３】本発明の実施の形態２に係る変調データシンボル、マッピング変更シンボルおよびこれらの平均シンボルのそれぞれのＩ成分、Ｑ成分を示す図
【図１４】本発明の実施の形態２に係るＭＩＭＯ受信部の内部構成を示すブロック図
【図１５】本発明の実施の形態３に係る６４ＱＡＭシンボルとマッピング変更シンボルとの対応関係を示す図
【図１６】本発明の実施の形態３に係る変調データシンボル、マッピング変更シンボルおよびこれらの平均シンボルのそれぞれのＩ成分、Ｑ成分を示す図
【図１７】本発明の実施の形態４に係る８ＰＳＫシンボルとマッピング変更シンボルとの対応関係を示す図
【図１８】本発明の実施の形態４に係る変調データシンボル、マッピング変更シンボルおよびこれらの平均シンボルのそれぞれのＩ成分、Ｑ成分を示す図
【図１９】本発明の実施の形態５に係る１６ＰＳＫシンボルとマッピング変更シンボルとの対応関係を示す図
【図２０】本発明の実施の形態５に係る変調データシンボル、マッピング変更シンボルおよびこれらの平均シンボルのそれぞれのＩ成分、Ｑ成分を示す図
【図２１】本発明の実施の形態６に係る基地局の構成を示すブロック図
【図２２】本発明の実施の形態６に係る１６ＱＡＭシンボルとマッピング変更シンボルとの対応関係を示す図
【図２３】本発明の実施の形態６に係る変調データシンボル、マッピング変更シンボルおよびこれらの平均シンボルのそれぞれのＩ成分、Ｑ成分を示す図
【図２４】本発明の実施の形態６に係るＭＩＭＯ受信部の構成を示すブロック図
【図２５】本発明の実施の形態６に係る１６ＱＡＭシンボルとマッピング変更シンボルとの対応関係を示す図
【図２６】本発明の実施の形態６に係る変調データシンボル、マッピング変更シンボルおよびこれらの平均シンボルのそれぞれのＩ成分、Ｑ成分を示す図
【図１】
0004903058.tif 000002
【図２】
0004903058.tif 000003
【図３】
0004903058.tif 000004
【図４】
0004903058.tif 000005
【図５】
0004903058.tif 000006
【図６】
0004903058.tif 000007
【図７】
0004903058.tif 000008
【図８】
0004903058.tif 000009
【図９】
0004903058.tif 000010
【図１０】
0004903058.tif 000011
【図１１】
0004903058.tif 000012
【図１２】
0004903058.tif 000013
【図１３】
0004903058.tif 000014
【図１４】
0004903058.tif 000015
【図１５】
0004903058.tif 000016
【図１６】
0004903058.tif 000017
【図１７】
0004903058.tif 000018
【図１８】
0004903058.tif 000019
【図１９】
0004903058.tif 000020
【図２０】
0004903058.tif 000021
【図２１】
0004903058.tif 000022
【図２２】
0004903058.tif 000023
【図２３】
0004903058.tif 000024
【図２４】
0004903058.tif 000025
【図２５】
0004903058.tif 000026
【図２６】
0004903058.tif 000027